(57)【特許請求の範囲】
【請求項１】
複数の通信システムをサポートする融合網でセルラー通信システムの基地局によって基地局情報をアップデートする方法であって、前記方法は、
無線ＬＡＮシステムの基地局と関連する情報が変更されたか、または前記セルラー通信システムの基地局と関連する情報が変更された場合、前記変更された情報を含む第１のメッセージを前記無線ＬＡＮシステムの基地局から受信することと、
前記第１のメッセージに基づいて前記変更された情報をアップデートすることと
を含む、方法。
【請求項２】
前記無線ＬＡＮシステムの基地局と関連する情報が変更された場合、前記第１のメッセージは、少なくとも、前記無線ＬＡＮシステムの基地局の変更された識別子（ＩＤ）、変更された中心周波数チャンネル番号、変更された帯域幅、変更されたセルＩＤ、変更された位置情報、変更された負荷状態情報、前記無線ＬＡＮシステムの基地局と周辺ＡＰ（Ａｃｃｅｓｓ  Ｐｏｉｎｔ）との間の変更された干渉情報、または、前記周辺ＡＰの変更されたスキャニング結果情報を含む、請求項１に記載の方法。
【請求項３】
前記セルラー通信システムの基地局と関連する情報が変更された場合、前記第１のメッセージは、少なくとも、前記セルラー通信システムの基地局の変更されたアップリンクタイミング同期情報、変更されたタイミングアドバンス測定値、または変更された参照信号強さ測定値を含む、請求項１に記載の方法。
【請求項４】
前記セルラー通信システムの基地局と関連する情報が変更された場合は、前記セルラー通信システムの基地局が前記セルラー通信システムの他の基地局に変更された場合を含み、
前記第１のメッセージは、前記セルラー通信システムの他の基地局の情報を含む、請求項１に記載の方法。
【請求項５】
前記アップデートされた情報を端末に伝送することをさらに含む、請求項１に記載の方法。
【請求項６】
前記アップデートされた情報により、端末が前記無線ＬＡＮシステムの基地局に対してスキャニングする必要がある場合、前記端末にスキャニング要請メッセージを伝送することをさらに含む、請求項１に記載の方法。
【請求項７】
前記スキャニング要請メッセージは、前記スキャニング要請の理由及びスキャニングされる前記無線ＬＡＮシステムの基地局に対する情報を含む、請求項６に記載の方法。
【請求項８】
前記スキャニング要請メッセージに含まれた前記スキャニング要請の理由は、前記無線ＬＡＮシステムの基地局の情報がアップデートされることを指示する、請求項７に記載の方法。
【請求項９】
前記端末から前記無線ＬＡＮシステムの基地局に対するスキャニング結果レポートを受信することをさらに含む、請求項６に記載の方法。
【請求項１０】
複数の通信システムをサポートする融合網で端末により基地局情報をアップデートする方法であって、前記方法は、
無線ＬＡＮシステムの基地局と関連する情報が変更された場合、前記無線ＬＡＮシステムの基地局と関連する前記変更された情報を含む第１のメッセージをセルラー通信システムの基地局から受信することと、
前記第１のメッセージに基づいて前記無線ＬＡＮシステムの基地局と関連する前記情報をアップデートすることと
を含む、方法。
【請求項１１】
前記第１のメッセージは、少なくとも、前記無線ＬＡＮシステムの基地局の変更された識別子（ＩＤ）、変更された中心周波数チャンネル番号、変更された帯域幅、変更されたセルＩＤ、変更された位置情報、変更された負荷状態情報、前記無線ＬＡＮシステムの基地局と周辺ＡＰ（Ａｃｃｅｓｓ  Ｐｏｉｎｔ）との間の変更された干渉情報、または、前記周辺ＡＰの変更されたスキャニング結果情報を含む、請求項１０に記載の方法。
【請求項１２】
前記セルラー通信システムの基地局から前記無線ＬＡＮシステムの基地局に対するスキャニングを要請するスキャニング要請メッセージを受信することをさらに含む、請求項１０に記載の方法。
【請求項１３】
前記スキャニング要請メッセージに基づいて前記無線ＬＡＮシステムの基地局に対するスキャニングを行うことと、
前記スキャニングの結果を前記セルラー通信システムの基地局に伝送することと
をさらに含む、請求項１２に記載の方法。
【請求項１４】
複数の通信システムをサポートする融合網で基地局情報をアップデートするセルラー通信システムの基地局であって、前記基地局は、
無線ＬＡＮシステムの基地局と関連する情報が変更されたか、または前記セルラー通信システムの基地局と関連する情報が変更された場合、前記変更された情報を含む第１のメッセージを前記無線ＬＡＮシステムの基地局から受信するように構成された受信機と、
前記第１のメッセージに基づいて前記変更された情報をアップデートするように構成されたプロセッサと
を含む、基地局。
【請求項１５】
複数の通信システムをサポートする融合網で基地局情報をアップデートする端末であって、前記端末は、
無線ＬＡＮシステムの基地局と関連する情報が変更された場合、前記無線ＬＡＮシステムの基地局と関連する情報を含む第１のメッセージをセルラー通信システムの基地局から受信するように構成された受信機と、
前記第１のメッセージに基づいて前記無線ＬＡＮシステムの基地局と関連する前記情報をアップデートするように構成されたプロセッサと
を含む、端末。
【発明の詳細な説明】
【技術分野】
【０００１】
本発明は、無線通信に関し、より詳細には、複数の通信システムをサポートする融合網で基地局情報をアップデートする方法及びそのための装置に関する。
【背景技術】
【０００２】
無線通信システムで二つ以上のＲＡＴ（ｒａｄｉｏ  ａｃｃｅｓｓ  ｔｅｃｈｎｏｌｏｇｙ）にアクセスできる能力（ｃａｐａｂｉｌｉｔｙ）を有するマルチ（Ｍｕｌｔｉ）―ＲＡＴ端末が存在し得る。特定のＲＡＴにアクセスするためには、端末要請基盤で特定のＲＡＴへの連結（ｃｏｎｎｅｃｔｉｏｎ）を設定し、データ送受信を行う。
【０００３】
しかし、マルチ―ＲＡＴ端末が二つ以上のＲＡＴにアクセスできる能力はあるとしても、同時にマルチプル（ｍｕｌｔｉｐｌｅ）ＲＡＴにアクセスすることはできなかった。すなわち、現在の端末は、マルチ―ＲＡＴ能力があるとしても、互いに異なるＲＡＴを通じて同時にデータ送受信をすることは可能でない。
【０００４】
このような従来のマルチ―ＲＡＴ技術は、無線ＬＡＮとセルラー網との間のインターワーキング（ｉｎｔｅｒｗｏｒｋｉｎｇ）を必要としないので、全般的にシステム効率が低いという問題を有する。そして、このような問題に対しては未だに研究されたことがない。
【発明の概要】
【発明が解決しようとする課題】
【０００５】
本発明で達成しようとする技術的課題は、複数の通信システムをサポートする融合網で第１の通信システムの基地局が基地局情報をアップデートする方法を提供することにある。
【０００６】
本発明で達成しようとする他の技術的課題は、複数の通信システムをサポートする融合網で端末が基地局情報をアップデートする方法を提供することにある。
【０００７】
本発明で達成しようとする更に他の技術的課題は、複数の通信システムをサポートする融合網で基地局情報をアップデートする第１の通信システムの基地局を提供することにある。
【０００８】
本発明で達成しようとする更に他の技術的課題は、複数の通信システムをサポートする融合網で基地局情報をアップデートする端末を提供することにある。
【０００９】
本発明で達成しようとする技術的課題は、前記の技術的課題に制限されず、言及していない更に他の技術的課題は、下記の記載から本発明の属する技術分野で通常の知識を有する者に明確に理解され得るだろう。
【課題を解決するための手段】
【００１０】
前記の技術的課題を達成するための、複数の通信システムをサポートする融合網で第１の通信システムの基地局が基地局情報をアップデートする方法は、第２の通信システムの基地局から前記第２の通信基地局と関連する情報が変更されたり、または前記第１の通信システムの基地局と関連する情報が変更された場合、変更された情報を含む第１のメッセージを前記第２の通信システムの基地局から受信する段階；及び前記第１のメッセージに基づいて変更された情報をアップデートする段階；を含むことができる。前記第２の通信システムの基地局と関連する情報が変更された場合、前記第１のメッセージは、前記第２の通信システムの基地局の識別子、中心周波数チャンネル番号、帯域幅、セルＩＤ、位置情報、負荷状態（ｌｏａｄ  ｓｔａｔｕｓ）情報、前記第２の通信システムの基地局と周辺ＡＰ（Ａｃｃｅｓｓ  Ｐｏｉｎｔ）との干渉情報、及び周辺ＡＰのスキャニング結果情報のうち変更された少なくとも一つの情報を含むことができる。前記第１の通信システムの基地局と関連する情報が変更された場合、前記第１のメッセージは、前記１の通信システムの基地局のアップリンクタイミング同期情報、タイミングアドバンス（ｔｉｍｉｎｇ  ａｄｖａｎｃｅ）測定値、及び参照信号強さ測定値のうち変更された少なくとも一つの情報を含むことができる。前記第１の通信システムの基地局と関連する情報が変更された場合は、前記第１の通信システムの基地局が他の基地局に変更された場合を含み、前記第１のメッセージは、前記第１の通信システムの他の基地局の情報を含むことができる。前記方法は、前記のアップデートされた情報を端末に伝送する段階をさらに含むことができる。前記方法は、前記のアップデートされた情報によって端末が前記第２の通信システムの基地局に対してスキャニングする必要があると判断される場合、前記端末にスキャニング要請メッセージを伝送する段階をさらに含むことができる。前記スキャニング要請メッセージは、前記スキャニング要請の理由及びスキャニングする前記第２の通信システムの基地局に対する情報を含むことができる。前記スキャニング要請メッセージに含まれた前記スキャニング要請の理由は、前記第２の通信システムの基地局の情報がアップデートによるものであることを指示することができる。前記方法は、前記端末から前記第２の通信システムの基地局に対するスキャニング結果レポートを受信する段階をさらに含むことができる。前記第１の通信システムはセルラー通信システムで、前記第２の通信システムは無線ＬＡＮシステムであり得る。
【００１１】
前記の他の技術的課題を達成するための、本発明に係る複数の通信システムをサポートする融合網で端末が基地局情報をアップデートする方法は、第１の通信システムの基地局から前記第２の通信基地局と関連する情報が変更された場合、変更された前記第２の通信基地局と関連する情報を含む第１のメッセージを受信する段階；及び前記第１のメッセージに基づいて前記の変更された前記第２の通信基地局と関連する情報をアップデートする段階；を含むことができる。前記第１のメッセージは、前記第２の通信システムの基地局の識別子、中心周波数チャンネル番号、帯域幅、セルＩＤ、位置情報、負荷状態情報、前記第２の通信システムの基地局と周辺ＡＰ（Ａｃｃｅｓｓ  Ｐｏｉｎｔ）との干渉情報、及び周辺ＡＰのスキャニング結果情報のうち変更された少なくとも一つの情報を含むことができる。前記方法は、前記第１の通信システムの基地局から前記第２の通信システムの基地局に対するスキャニングを要請するスキャニング要請メッセージを受信する段階をさらに含むことができる。前記方法は、前記スキャニング要請メッセージに基づいて前記第２の通信システムの基地局に対するスキャニングを行う段階；及び前記スキャニング結果を前記第１の通信システムの基地局に伝送する段階；をさらに含むことができる。前記第１の通信システムはセルラー通信システムで、前記第２の通信システムは無線ＬＡＮシステムである。
【００１２】
前記の更に他の技術的課題を達成するための、複数の通信システムをサポートする融合網で基地局情報をアップデートする第１の通信システムの基地局は、第２の通信システムの基地局から前記第２の通信基地局と関連する情報が変更されたり、または前記第１の通信システムの基地局と関連する情報が変更された場合、変更された情報を含む第１のメッセージを前記第２の通信システムの基地局から受信するように構成された受信機；及び前記第１のメッセージに基づいて変更された情報をアップデートするように構成されたプロセッサ；を含み、前記第１の通信システムはセルラー通信システムで、前記第２の通信システムは無線ＬＡＮシステムである。
【００１３】
前記の更に他の技術的課題を達成するための、複数の通信システムをサポートする融合網で基地局情報をアップデートする端末は、第１の通信システムの基地局から前記第２の通信基地局と関連する情報が変更された場合、変更された前記第２の通信基地局と関連する情報を含む第１のメッセージを受信するように構成された受信機；及び前記第１のメッセージに基づいて前記の変更された前記第２の通信基地局と関連する情報をアップデートするように構成されたプロセッサ；を含み、前記第１の通信システムはセルラー通信システムで、前記第２の通信システムは無線ＬＡＮシステムであることを特徴とする。
本明細書は、例えば、以下の項目も提供する。
（項目１）
複数の通信システムをサポートする融合網で第１の通信システムの基地局が基地局情報をアップデートする方法において、
第２の通信システムの基地局から前記第２の通信基地局と関連する情報が変更されたり、または前記第１の通信システムの基地局と関連する情報が変更された場合、変更された情報を含む第１のメッセージを前記第２の通信システムの基地局から受信する段階；及び
前記第１のメッセージに基づいて変更された情報をアップデートする段階；を含む、基地局情報アップデート方法。
（項目２）
前記第２の通信システムの基地局と関連する情報が変更された場合、前記第１のメッセージは、前記第２の通信システムの基地局の識別子、中心周波数チャンネル番号、帯域幅、セルＩＤ、位置情報、負荷状態情報、前記第２の通信システムの基地局と周辺ＡＰ（Ａｃｃｅｓｓ  Ｐｏｉｎｔ）との干渉情報、及び周辺ＡＰのスキャニング結果情報のうち変更された少なくとも一つの情報を含む、項目１に記載の基地局情報アップデート方法。
（項目３）
前記第１の通信システムの基地局と関連する情報が変更された場合、前記第１のメッセージは、前記１の通信システムの基地局のアップリンクタイミング同期情報、タイミングアドバンス測定値、及び参照信号強さ測定値のうち変更された少なくとも一つの情報を含む、項目１に記載の基地局情報アップデート方法。
（項目４）
前記第１の通信システムの基地局と関連する情報が変更された場合は、前記第１の通信システムの基地局が他の基地局に変更された場合を含み、
前記第１のメッセージは、前記第１の通信システムの他の基地局の情報を含む、項目１に記載の基地局情報アップデート方法。
（項目５）
前記のアップデートされた情報を端末に伝送する段階をさらに含む、項目１に記載の基地局情報アップデート方法。
（項目６）
前記のアップデートされた情報により、端末が前記第２の通信システムの基地局に対してスキャニングする必要があると判断される場合、前記端末にスキャニング要請メッセージを伝送する段階をさらに含む、項目１に記載の基地局情報アップデート方法。
（項目７）
前記スキャニング要請メッセージは、前記スキャニング要請の理由及びスキャニングする前記第２の通信システムの基地局に対する情報を含む、項目６に記載の基地局情報アップデート方法。
（項目８）
前記スキャニング要請メッセージに含まれた前記スキャニング要請の理由は、前記第２の通信システムの基地局の情報がアップデートによるものであることを指示する、項目７に記載の基地局情報アップデート方法。
（項目９）
前記端末から前記第２の通信システムの基地局に対するスキャニング結果レポートを受信する段階をさらに含む、項目６に記載の基地局情報アップデート方法。
（項目１０）
前記第１の通信システムはセルラー通信システムで、前記第２の通信システムは無線ＬＡＮシステムである、項目１に記載の基地局情報アップデート方法。
（項目１１）
複数の通信システムをサポートする融合網で端末が基地局情報をアップデートする方法において、
第１の通信システムの基地局から前記第２の通信基地局と関連する情報が変更された場合、変更された前記第２の通信基地局と関連する情報を含む第１のメッセージを受信する段階；及び
前記第１のメッセージに基づいて前記の変更された前記第２の通信基地局と関連する情報をアップデートする段階；を含む、端末が基地局情報をアップデートする方法。
（項目１２）
前記第１のメッセージは、前記第２の通信システムの基地局の識別子、中心周波数チャンネル番号、帯域幅、セルＩＤ、位置情報、負荷状態情報、前記第２の通信システムの基地局と周辺ＡＰ（Ａｃｃｅｓｓ  Ｐｏｉｎｔ）との干渉情報、及び周辺ＡＰのスキャニング結果情報のうち変更された少なくとも一つの情報を含む、項目１１に記載の端末が基地局情報をアップデートする方法。
（項目１３）
前記第１の通信システムの基地局から前記第２の通信システムの基地局に対するスキャニングを要請するスキャニング要請メッセージを受信する段階をさらに含む、項目１１に記載の端末が基地局情報をアップデートする方法。
（項目１４）
前記スキャニング要請メッセージに基づいて前記第２の通信システムの基地局に対するスキャニングを行う段階；及び
前記スキャニング結果を前記第１の通信システムの基地局に伝送する段階；をさらに含む、項目１３に記載の端末が基地局情報をアップデートする方法。
（項目１５）
前記第１の通信システムはセルラー通信システムで、前記第２の通信システムは無線ＬＡＮシステムである、項目１１に記載の端末が基地局情報をアップデートする方法。
（項目１６）
複数の通信システムをサポートする融合網で基地局情報をアップデートする第１の通信システムの基地局において、
第２の通信システムの基地局から前記第２の通信基地局と関連する情報が変更されたり、または前記第１の通信システムの基地局と関連する情報が変更された場合、変更された情報を含む第１のメッセージを前記第２の通信システムの基地局から受信するように構成された受信機；及び
前記第１のメッセージに基づいて変更された情報をアップデートするように構成されたプロセッサ；を含み、
前記第１の通信システムはセルラー通信システムで、前記第２の通信システムは無線ＬＡＮシステムであることを特徴とする、第１の通信システムの基地局。
（項目１７）
複数の通信システムをサポートする融合網で基地局情報をアップデートする端末において、
第１の通信システムの基地局から前記第２の通信基地局と関連する情報が変更された場合、変更された前記第２の通信基地局と関連する情報を含む第１のメッセージを受信するように構成された受信機；及び
前記第１のメッセージに基づいて前記の変更された前記第２の通信基地局と関連する情報をアップデートするように構成されたプロセッサ；を含み、
前記第１の通信システムはセルラー通信システムで、前記第２の通信システムは無線ＬＡＮシステムであることを特徴とする、端末。
【発明の効果】
【００１４】
本発明で提案するセルラーネットワークがＡＰの情報を管理する場合、ＡＰ情報管理主体、ｅＮＢまたはＵＥがＡＰ情報を効率的にアップデートする方法により、広帯域無線通信システムでセルラー網の制御を通じて端末がＷＬＡＮを効率的に使用するようになるという長所がある。
【００１５】
本発明で得られる効果は、以上で言及した各効果に制限されず、言及していない更に他の効果は、下記の記載から本発明の属する技術分野で通常の知識を有する者に明確に理解され得るだろう。
【図面の簡単な説明】
【００１６】
本発明に関する理解を促進するために詳細な説明の一部として含まれる添付の図面は、本発明に対する実施例を提供し、詳細な説明と共に本発明の技術的思想を説明する。
【００１７】
【図１】無線通信システム１００での基地局１０５及び端末１１０の構成を示したブロック図である。
【００１８】
【図２】Ｅ―ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）のネットワーク構造を例示した図である。
【００１９】
【図３ａ】一般的なＥ―ＵＴＲＡＮ及び一般的なＥＰＣの一般的構造を示したブロック図である。
【００２０】
【図３ｂ】Ｅ―ＵＭＴＳネットワークのためのユーザー平面プロトコルスタックを示したブロック図である。
【００２１】
【図３ｃ】Ｅ―ＵＭＴＳネットワークのための制御平面プロトコルスタックを示したブロック図である。
【００２２】
【図４ａ】第１の通信システム（例えば、ＬＴＥシステム）と第２の通信システム（例えば、ＷｉＦｉシステム）との連動構造を説明するためのネットワーク構造を例示した図である。
【図４ｂ】第１の通信システム（例えば、ＬＴＥシステム）と第２の通信システム（例えば、ＷｉＦｉシステム）との連動構造を説明するためのネットワーク構造を例示した図である。
【００２３】
【図５】ＥＰＳ（Ｅｖｏｌｖｅｄ  Ｐａｃｋｅｔ  Ｓｙｓｔｅｍ）サービスのためのアタッチ（Ａｔｔａｃｈ）プロシージャを説明するための図である。
【００２４】
【図６】第１の通信システム（例えば、ＬＴＥシステム）と第２の通信システム（例えば、ＷｉＦｉシステム）との連動構造を説明するためのネットワーク構造を例示した図である。
【００２５】
【図７ａ】ＡＰ情報管理主体がｅＮＢである場合（ケース１）のｅＡＰのプロトコル構成を示した図である。
【図７ｂ】ＡＰ情報管理主体がＭＭＥである場合（ケース２）のｅＡＰのプロトコル構成を示した図である。
【００２６】
【図８ａ】ＡＰ情報管理主体が新たなネットワーキングエンティティである場合（ケース３）のｅＡＰのプロトコル構成を示した図である。
【図８ｂ】ＡＰ情報管理主体が新たなネットワーキングエンティティである場合（ケース３）のｅＡＰのプロトコル構成を示した図である。
【００２７】
【図９】ＡＰ情報管理主体がｅＮＢである場合のｅＡＰ情報伝送プロシージャを説明するための例示的な図である。
【００２８】
【図１０】ＡＰ情報管理主体がｅＮＢである場合のＡＰ情報をアップデートするプロシージャを説明するための例示的な図である。
【００２９】
【図１１】ＡＰ情報管理主体がＭＭＥである場合のｅＡＰ情報伝送プロシージャを説明するための例示的な図である。
【００３０】
【図１２】ＡＰ情報管理主体がＭＭＥである場合のＡＰ情報をアップデートするプロシージャを説明するための例示的な図である。
【００３１】
【図１３】ＡＰ情報管理主体がＭＭＥである場合のＡＰ情報をアップデートするプロシージャを説明するための他の例示的な図である。
【００３２】
【図１４】ＡＰ情報管理主体が新たなネットワークエンティティ（以下、ＩＷＥと称する）である場合のｅＡＰ情報伝送プロシージャを説明するための例示的な図である。
【００３３】
【図１５】ＡＰ情報管理主体がＩＷＥである場合のｅＮＢ／ＭＭＥとＩＷＥとの間のプロシージャを説明するための例示的な図である。
【００３４】
【図１６】ＡＰ情報管理主体がＩＷＥである場合のＡＰ情報をアップデートするプロシージャを説明するための例示的な図である。
【００３５】
【図１７】ＡＰ情報管理主体がＩＷＥである場合のＡＰ情報をアップデートするプロシージャを説明するための他の例示的な図である。
【発明を実施するための形態】
【００３６】
以下、本発明に係る好ましい実施形態を添付の図面を参照して詳細に説明する。添付の図面と共に以下で開示する詳細な説明は、本発明の例示的な実施形態を説明するためのものであって、本発明が実施され得る唯一の実施形態を示すためのものではない。以下の詳細な説明は、本発明の完全な理解を提供するために具体的な細部事項を含む。しかし、当業者であれば、本発明がこのような具体的な細部事項なしでも実施され得ることが分かる。例えば、以下の詳細な説明は、移動通信システムが３ＧＰＰ  ＬＴＥ、ＬＴＥ―Ａシステムである場合を仮定して具体的に説明するが、３ＧＰＰ  ＬＴＥ、ＬＴＥ―Ａの特有の事項を除いては、他の任意の移動通信システムにも適用可能である。
【００３７】
いくつかの場合、本発明の概念が曖昧になることを避けるために公知の構造及び装置は省略したり、各構造及び装置の核心機能を中心にしたブロック図の形式で図示することができる。また、本明細書全体にわたって同一の構成要素に対しては、同一の図面符号を使用して説明する。
【００３８】
併せて、以下の説明において、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＡＭＳ（Ａｄｖａｎｃｅｄ  Ｍｏｂｉｌｅ  Ｓｔａｔｉｏｎ）などの移動または固定型の使用者端機器を総称するものと仮定する。また、基地局は、Ｎｏｄｅ  Ｂ、ｅＮｏｄｅ  Ｂ、Ｂａｓｅ  Ｓｔａｔｉｏｎ、ＡＰ（Ａｃｃｅｓｓ  Ｐｏｉｎｔ）などの端末と通信するネットワーク端の任意のノードを総称するものと仮定する。本明細書では、ＩＥＥＥ  ８０２．１６システムに基づいて説明するが、本発明の内容は各種他の通信システムにも適用可能である。
【００３９】
移動通信システムにおいて、端末（Ｕｓｅｒ  Ｅｑｕｉｐｍｅｎｔ）は、基地局からダウンリンク（Ｄｏｗｎｌｉｎｋ）を通じて情報を受信することができ、端末は、アップリンク（Ｕｐｌｉｎｋ）を通じて情報を伝送することができる。端末が伝送または受信する情報としては、データ及び多様な制御情報があり、端末が伝送または受信する情報の種類・用途に応じて多様な物理チャンネルが存在する。
【００４０】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ―ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などの多様な無線接続システムに使用することができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００などの無線技術（ｒａｄｉｏ  ｔｅｃｈｎｏｌｏｇｙ）で具現することができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）などの無線技術で具現することができる。ＯＦＤＭＡは、ＩＥＥＥ  ８０２．１１（Ｗｉ―Ｆｉ）、ＩＥＥＥ  ８０２．１６（ＷｉＭＡＸ）、ＩＥＥＥ  ８０２―２０、Ｅ―ＵＴＲＡ（Ｅｖｏｌｖｅｄ  ＵＴＲＡ）などの無線技術で具現することができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（ｌｏｎｇ  ｔｅｒｍ  ｅｖｏｌｕｔｉｏｎ）は、Ｅ―ＵＴＲＡを使用するＥ―ＵＭＴＳ（Ｅｖｏｌｖｅｄ  ＵＭＴＳ）の一部であって、ダウンリンクでＯＦＤＭＡを採用し、アップリンクでＳＣ―ＦＤＭＡを採用する。ＬＴＥ―Ａ（Ａｄｖａｎｃｅｄ）は、３ＧＰＰ  ＬＴＥの進化されたバージョンである。
【００４１】
また、以下の説明で使用される特定用語は、本発明の理解を促進するために提供されたものであって、このような特定用語の使用は、本発明の技術的思想を逸脱しない範囲で他の形態に変更可能である。
【００４２】
図１は、無線通信システム１００での基地局１０５及び端末１１０の構成を示したブロック図である。
【００４３】
無線通信システム１００を簡略化して示すために、一つの基地局１０５と一つの端末１１０（Ｄ２Ｄ端末を含む）を示したが、無線通信システム１００は、一つ以上の基地局及び／または一つ以上の端末を含むことができる。
【００４４】
図１を参照すると、基地局１０５は、送信（Ｔｘ）データプロセッサ１１５、シンボル変調器１２０、送信機１２５、送受信アンテナ１３０、プロセッサ１８０、メモリ１８５、受信機１９０、シンボル復調器１９５、及び受信（Ｒｘ）データプロセッサ１９７を含むことができる。そして、端末１１０は、送信（Ｔｘ）データプロセッサ１６５、シンボル変調器１７５、送信機１７５、送受信アンテナ１３５、プロセッサ１５５、メモリ１６０、受信機１４０、シンボル復調器１５５、及び受信（Ｒｘ）データプロセッサ１５０を含むことができる。送受信アンテナ１３０、１３５がそれぞれ基地局１０５及び端末１１０で一つに示されているが、基地局１０５及び端末１１０は複数の送受信アンテナを備えている。したがって、本発明に係る基地局１０５及び端末１１０は、ＭＩＭＯ（Ｍｕｌｔｉｐｌｅ  Ｉｎｐｕｔ  Ｍｕｌｔｉｐｌｅ  Ｏｕｔｐｕｔ）システムをサポートする。また、本発明に係る基地局１０５は、ＳＵ―ＭＩＭＯ（Ｓｉｎｇｌｅ  Ｕｓｅｒ―ＭＩＭＯ）  ＭＵ―ＭＩＭＯ（Ｍｕｌｔｉ  Ｕｓｅｒ―ＭＩＭＯ）方式の全てをサポートすることができる。
【００４５】
ダウンリンク上で、送信データプロセッサ１１５は、トラフィックデータを受信し、受信したトラフィックデータをフォーマット及びコーディングし、コーディングされたトラフィックデータをインターリービング及び変調し（またはシンボルマッピングし）、各変調シンボル（「各データシンボル」）を提供する。シンボル変調器１２０は、これら各データシンボルと各パイロットシンボルを受信及び処理し、各シンボルのストリームを提供する。
【００４６】
シンボル変調器１２０は、データ及び各パイロットシンボルを多重化し、これを送信機１２５に伝送する。このとき、それぞれの送信シンボルは、データシンボル、パイロットシンボル、またはゼロの信号値であってもよい。それぞれのシンボル周期で、各パイロットシンボルが連続的に送信されることもある。各パイロットシンボルは、周波数分割多重化（ＦＤＭ）、直交周波数分割多重化（ＯＦＤＭ）、時分割多重化（ＴＤＭ）、またはコード分割多重化（ＣＤＭ）シンボルであり得る。
【００４７】
送信機１２５は、各シンボルのストリームを受信し、これを一つ以上のアナログ信号に変換し、また、これら各アナログ信号を追加的に調節し（例えば、増幅、フィルタリング、及び周波数アップコンバーティング（ｕｐｃｏｎｖｅｒｔｉｎｇ）し）、無線チャンネルを介した送信に適したダウンリンク信号を発生させる。そうすると、送信アンテナ１３０は、発生したダウンリンク信号を端末に伝送する。
【００４８】
端末１１０の構成において、受信アンテナ１３５は、基地局からのダウンリンク信号を受信し、受信された信号を受信機１４０に提供する。受信機１４０は、受信された信号を調整し（例えば、フィルタリング、増幅、及び周波数ダウンコンバーティング（ｄｏｗｎｃｏｎｖｅｒｔｉｎｇ）し）、調整された信号をデジタル化することによって各サンプルを獲得する。シンボル復調器１４５は、受信された各パイロットシンボルを復調し、チャンネル推定のためにこれをプロセッサ１５５に提供する。
【００４９】
また、シンボル復調器１４５は、プロセッサ１５５からダウンリンクに対する周波数応答推定値を受信し、受信された各データシンボルに対してデータ復調を行い、（送信された各データシンボルの各推定値である）データシンボル推定値を獲得し、各データシンボル推定値を受信（Ｒｘ）データプロセッサ１５０に提供する。受信データプロセッサ１５０は、各データシンボル推定値を復調（すなわち、シンボルデマッピング（ｄｅｍａｐｐｉｎｇ））し、デインターリービング（ｄｅｉｎｔｅｒｌｅａｖｉｎｇ）及びデコーディングし、伝送されたトラフィックデータを復旧する。
【００５０】
シンボル復調器１４５及び受信データプロセッサ１５０による処理は、それぞれ基地局１０５でのシンボル変調器１２０及び送信データプロセッサ１１５による処理に対して相補的である。
【００５１】
端末１１０において、アップリンク上で、送信データプロセッサ１６５は、トラフィックデータを処理し、各データシンボルを提供する。シンボル変調器１７０は、各データシンボルを受信、多重化及び変調し、各シンボルのストリームを送信機１７５に提供することができる。送信機１７５は、各シンボルのストリームを受信及び処理し、アップリンク信号を発生させる。そして、送信アンテナ１３５は、発生したアップリンク信号を基地局１０５に伝送する。
【００５２】
基地局１０５において、端末１１０からアップリンク信号が受信アンテナ１３０を介して受信され、受信機１９０は、受信したアップリンク信号を処理することによって各サンプルを獲得する。続いて、シンボル復調器１９５は、これら各サンプルを処理し、アップリンクに対して受信された各パイロットシンボル及びデータシンボル推定値を提供する。受信データプロセッサ１９７は、データシンボル推定値を処理し、端末１１０から伝送されたトラフィックデータを復旧する。
【００５３】
端末１１０及び基地局１０５のそれぞれのプロセッサ１５５、１８０は、それぞれ端末１１０及び基地局１０５での動作を指示（例えば、制御、調整、管理など）する。それぞれのプロセッサ１５５、１８０は、各プログラムコード及びデータを格納するメモリ１６０、１８５と連結することができる。メモリ１６０、１８５は、プロセッサ１８０に連結され、オペレーティングシステム、アプリケーション、及び一般ファイル（ｇｅｎｅｒａｌ  ｆｉｌｅｓ）を格納する。
【００５４】
プロセッサ１５５、１８０は、コントローラー、マイクロコントローラー、マイクロプロセッサ、マイクロコンピューターなどと称することもできる。一方、プロセッサ１５５、１８０は、ハードウェア、ファームウェア、ソフトウェア、またはこれらの結合によって具現することができる。ハードウェアを用いて本発明の実施例を具現する場合は、本発明を行うように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、またはＦＰＧＡｓ（ｆｉｅｌｄ  ｐｒｏｇｒａｍｍａｂｌｅ  ｇａｔｅ  ａｒｒａｙｓ）などをプロセッサ１５５、１８０に備えることができる。
【００５５】
一方、ファームウェアやソフトウェアを用いて本発明の各実施例を具現する場合は、本発明の機能または各動作を行うモジュール、手順または関数などを含むようにファームウェアやソフトウェアを構成することができ、本発明を行えるように構成されたファームウェアまたはソフトウェアは、プロセッサ１５５、１８０内に備えられたり、メモリ１６０、１８５に格納され、プロセッサ１５５、１８０によって駆動され得る。
【００５６】
端末／基地局と無線通信システム（ネットワーク）との間の無線インターフェースプロトコルの各レイヤーは、通信システムでよく知られているＯＳＩ（ｏｐｅｎ  ｓｙｓｔｅｍ  ｉｎｔｅｒｃｏｎｎｅｃｔｉｏｎ）モデルの下位３個のレイヤーに基づいて第１のレイヤーＬ１、第２のレイヤーＬ２、及び第３のレイヤーＬ３に分類することができる。物理レイヤーは、前記第１のレイヤーに属し、物理チャンネルを介して情報伝送サービスを提供する。ＲＲＣ（Ｒａｄｉｏ  Ｒｅｓｏｕｒｃｅ  Ｃｏｎｔｒｏｌ）レイヤーは、前記第３のレイヤーに属し、ＵＥとネットワークとの間の各制御無線資源を提供する。端末と基地局は、無線通信ネットワークとＲＲＣレイヤーを介して各ＲＲＣメッセージを交換することができる。
【００５７】
本明細書において、端末のプロセッサ１５５と基地局のプロセッサ１８０は、それぞれ端末１１０及び基地局１０５が信号を受信または送信する機能及び格納する機能を除いて、信号及びデータを処理する動作を行うが、説明の便宜上、以下で特別にプロセッサ１５５、１８０を言及しない。特別にプロセッサ１５５、１８０の言及がないとしても、信号を受信または送信する機能及び格納する機能でないデータ処理などの一連の動作を行うと言える。
【００５８】
図２は、Ｅ―ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）のネットワーク構造を例示した図である。Ｅ―ＵＭＴＳは、ＬＴＥシステムと称することもできる。システムは、音声ＡＬＶパケットデータなどの多様な通信サービスを提供するために広範囲に配置することができ、一般に、以下の各図面と関連して詳細に説明して開示する多様な技術に基づいて機能するように構成される。
【００５９】
図２を参照すると、Ｅ―ＵＭＴＳネットワークは、Ｅ―ＵＴＲＡＮ（Ｅｖｏｌｖｅｄ  ＵＭＴＳ  ｔｅｒｒｅｓｔｒｉａｌ  ｒａｄｉｏ  ａｃｃｅｓｓ  ｎｅｔｗｏｒｋ）、ＥＰＣ（Ｅｖｏｌｖｅｄ  Ｐａｃｋｅｔ  Ｃｏｒｅ）及び一つ以上の端末１０を含む。Ｅ―ＵＴＲＡＮは、一つ以上の基地局２０を含む。ＥＰＣと関連して、ＭＭＥ／ＳＡＥゲートウェイ３０は、端末１０に対してセッションの終端点及び移動性管理機能を提供する。基地局２０及びＭＭＥ／ＳＡＥゲートウェイは、Ｓ１インターフェースを介して接続することができる。
【００６０】
端末１０は、ユーザーが所持する装置であって、ＭＳ（ｍｏｂｉｌｅ  ｓｔａｔｉｏｎ）、ＵＴ（ｕｓｅｒ  ｔｅｒｍｉｎａｌ）、加入者局（Ｓｕｂｓｃｒｉｂｅｒ  Ｓｔａｔｉｏｎ、ＳＳ）または無線装置と称することもできる。
【００６１】
基地局２０は、一般に、端末１０と共に通信する固定局（ｆｉｘｅｄ  ｓｔａｔｉｏｎ）である。ｂａｓｅ  ｓｔａｔｉｏｎと称する他に、基地局は、アクセスポイント（Ａｃｃｅｓｓ  Ｐｏｉｎｔ、ＡＰ）と称することもできる。基地局は、端末にユーザー平面（ｕｓｅｒ  ｐｌａｎｅ）及び制御平面（ｃｏｎｔｒｏｌ  ｐｌａｎｅ）の各終端点（ｅｎｄ  ｐｏｉｎｔｓ）を提供する。一般に、基地局は、他の構成要素のうち送信機及びプロセッサを含み、本明細書で記述している多様な技術によって動作するように構成される。
【００６２】
複数の端末１０が一つのセル内に位置し得る。一つの基地局２０は、一般にセル別に配置される。ユーザートラフィックまたは制御トラフィックを伝送するためのインターフェースを各基地局２０間で使用することができる。本明細書において、「ダウンリンク（ｄｏｗｎｌｉｎｋ）」は、基地局２０から端末１０への通信を示し、「アップリンク（ｕｐｌｉｎｋ）」は、端末から基地局への通信を示す。
【００６３】
ＭＭＥ／ＳＡＥゲートウェイ３０は、各基地局２０に各ページングメッセージの分布（ｄｉｓｔｒｉｂｕｔｉｏｎ）、保安制御、遊休状態移動性制御、ＳＡＲベアラ制御及びＮＡＳ（Ｎｏｎ―Ａｃｃｅｓｓ  Ｓｔｒａｔｕｍ）シグナリングの暗号（ｃｉｐｈｅｒｉｎｇ）及びインテグリティ保護（ｉｎｔｅｇｒｉｔｙ  ｐｒｏｔｅｃｔｉｏｎ）を含む多様な機能を提供する。ＳＡＥゲートウェイ３０は、各ページング理由のための各Ｕ―プランパケットの終了（ｔｅｒｍｉｎａｔｉｏｎ）、端末移動性をサポートするためのＵ―プランのスイッチングを含む多様な機能を提供する。説明の便宜上、ＭＭＥ／ＳＡＥゲートウェイ３０は、本明細書で簡単に「ゲートウェイ」と称することができる。しかし、このような構造は、ＭＭＥゲートウェイ及びＳＡＥゲートウェイの全てを含み得るものと理解することができる。
【００６４】
複数のノードは、Ｓ１インターフェースを介して基地局２０とゲートウェイ３０との間に連結することができる。基地局２０は、Ｘ２インターフェースを介して互いに連結することができ、各隣接基地局は、Ｘ２インターフェースを有するメッシュ（ｍｅｓｈｅｄ）ネットワーク構造を有することができる。
【００６５】
図３ａは、一般的なＥ―ＵＴＲＡＮ及び一般的なＥＰＣの一般的構造を示したブロック図である。図３ａを参照すると、基地局は、ゲートウェイ３０のための選択、無線資源制御（ＲＲＣ）活性時のゲートウェイに向かうルーティング、各ページングメッセージのスケジューリング及び伝送、放送チャンネル（ＢＣＣＨ）情報のスケジューリング及び伝送、ダウンリンク及びアップリンクでの各端末１０への資源の動的割り当て、基地局測定（ｍｅａｓｕｒｅｍｅｎｔｓ）の構成及び準備（ｐｒｏｖｉｓｉｏｎｉｎｇ）、無線ベアラ制御、無線許可制御（ＲＡＣ）、ＬＴＥ＿ＡＣＴＩＶＥ状態での連結移動性管理の各機能を行うことができる。
【００６６】
ＥＰＣにおいて、上述したように、ゲートウェイ３０は、ページング開始（ｏｒｉｇｉｎａｔｉｏｎ）、ＬＴＥ＿ＩＤＬＥ状態管理、ユーザー平面の計算、ＳＡＥベアラ管理、及び非―接続層（ｎｏｎ―ａｃｃｅｓｓ  ｓｔｒａｔｕｍ、ＮＡＳ）シグナリングのインテグリティ保護（ｉｎｔｅｇｒｉｔｙ  ｐｒｏｔｅｃｔｉｏｎ）の各機能を行うことができる。
【００６７】
図３ｂ及び図３ｃは、Ｅ―ＵＭＴＳネットワークのためのユーザー平面プロトコル及び制御平面プロトコルスタックを示したブロック図である。図３ｂ及び図３ｃを参照すると、各プロトコルレイヤーは、オープンシステム相互接続（ＯＳＩ）標準モデルの３個の下位階層に基づいて第１の階層Ｌ１、第２の階層Ｌ２及び第３の階層Ｌ３に分けることができる。
【００６８】
第１の階層Ｌ１（または物理階層（ＰＨＹ））は、物理チャンネルを用いて上位階層に情報伝送サービスを提供する。物理階層は、伝送チャンネルを介して上位レベルに位置したＭＡＣ階層と連結され、ＭＡＣ階層と物理階層との間のデータは伝送チャンネルを介して伝送される。互いに異なる各物理階層間、すなわち、送信側及び受信側（例えば、端末１０及び基地局２０）の各物理階層間のデータは物理チャンネル２１を介して伝送される。
【００６９】
第２の階層Ｌ２のＭＡＣ階層は、論理チャンネルを介してさらに高い階層であるＲＬＣ階層にサービスを提供する。第２の階層Ｌ２のＭＡＣ階層は、信頼性のあるデータ伝送をサポートする。図３ｂ及び図３ｃに示したＲＬＣ階層は、各ＭＡＣ  ＲＬＣ機能が具現されてＭＡＣ階層で行われると、ＲＬＣ階層自体は必要でないように図示された。図３ｂを参照すると、第２の階層のＰＤＣＰ階層は、相対的に小さい帯域幅を有する無線インターフェース上に効率的に伝送され得るＩＰｖ４またはＩＰｖ６などのインターネットプロトコル（ＩＰ）パケットを採用することによって、伝送されるデータに不要な制御情報を減少させるためにヘッダー圧縮を行う。
【００７０】
図３ｃを参照すると、第３の階層Ｌ３の最も低い部分に位置したＲＲＣ階層は、制御平面のみで定義され、各論理チャンネル、各伝送チャンネル、各物理チャンネルを構成、再構成、各無線ベアラ（ＲＢｓ）の解除の関係で制御する。ここで、各無線ベアラは、端末（ｔｅｒｍｉｎａｌ）とＥ―ＵＴＲＡＮとの間のデータ伝送のための第２の階層Ｌ２に提供されたサービスを意味する。
【００７１】
図３ｂを参照すると、ＲＬＣ及びＭＡＣ階層（ネットワーク側上で基地局２０で終了した）は、スケジューリング、ＡＲＱ（Ａｕｔｏｍａｔｉｃ  Ｒｅｐｅａｔ  ｒｅＱｕｅｓｔ）、ＨＡＲＱ（Ｈｙｂｒｉｄ  Ａｕｔｏｍａｔｉｃ  Ｒｅｐｅａｔ  ｒｅＱｕｅｓｔ）などの各機能を行う。ＰＤＣＰ階層（ネットワーク側上で基地局２０で終了した）は、ヘッダー圧縮、インテグリティ保護（ｉｎｔｅｒｇｒｉｔｙ  ｐｒｏｔｅｃｔｉｏｎ）、及び計算（ｃｉｐｈｅｒｉｎｇ）などのユーザー平面機能を行うことができる。
【００７２】
図３ｃを参照すると、ＲＬＣ及び各ＭＡＣ階層（ネットワーク側上で基地局２０で終了した）は、制御平面と同一の各機能を行う。例示したように、ＲＲＣ階層（ネットワーク側上で基地局２０で終了した）は、放送、ページング、ＲＲＣ連結管理、無線ベアラ（ＲＢ）制御、移動性機能、及び端末測定報告と制御などの各機能を行うことができる。ネットワーク側上でＭＭＥゲートウェイ３０で終了するＮＡＳ制御プロトコルは、ＳＡＥベアラ管理、認証、ＬＴＥ＿ＩＤＬＥ移動性ハンドリング、ＬＴＥ＿ＩＤＬＥでのページング開始、及び各ゲートウェイと端末１０との間のシグナリングのための保安制御などの機能を行うことができる。
【００７３】
ＮＡＳ制御プロトコルは、３個の互いに異なる状態（ｓｔａｔｅ）を使用することができる：第一に、ＲＲＣエンティティ（ｅｎｔｉｔｙ）がないとＬＴＥ＿ＤＥＴＡＣＨＥＤ状態で、第二に、ＲＲＣ連結がないが、最小の端末情報を格納しているとＬＴＥ＿ＩＤＬＥ状態で、第三に、ＲＲＣ連結が設定されるとＬＴＥ＿ＡＣＴＩＶＥ状態である。
【００７４】
また、ＲＲＣ状態は、ＲＲＣ＿ＩＤＬＥ及びＲＲＣ＿ＣＯＮＮＥＣＴＥＤなどの二つの互いに異なる状態に区分することができる。ＲＲＣ＿ＩＤＬＥ状態で、端末１０は、ページング情報及びシステムの情報の放送を受信できる一方、端末１０は、ＮＡＳによって構成された不連続受信（Ｄｉｓｃｏｎｔｉｎｕｏｕｓ  Ｒｅｃｅｐｔｉｏｎ、ＤＲＸ）を明記し、トラッキング（ｔｒａｃｋｉｎｇ）地域で端末を固有に識別するための識別子（ｉｄｅｎｔｉｆｉｃａｔｉｏｎ、ＩＤ）の割り当てを受ける。また、ＲＲＣ＿ＩＤＬＥ状態で、基地局２０に格納されたＲＲＣコンテキスト（ｃｏｎｔｅｘｔ）はない。
【００７５】
ＲＲＣ＿ＩＤＬＥ状態で、端末１０は、ページングＤＲＸ周期（ｃｙｃｌｅ）を明記する。特に、端末１０は、毎端末の特定ページングＤＲＸ周期の特定ページングの場合におけるページング信号をモニタリングする。
【００７６】
ＲＲＣ＿ＣＯＮＮＥＣＴＥＤ状態で、端末１０は、Ｅ―ＵＴＲＡＮでＥ―ＵＴＲＡＮ  ＲＲＣ連結及びコンテキストを備え、可能になるネットワーク（基地局）に／からデータを伝送及び／または受信する。また、端末１０は、チャンネル品質情報及びフィードバック情報を基地局２０に報告することができる。
【００７７】
ＲＲＣ＿ＣＯＮＮＥＣＴＥＤ状態で、Ｅ―ＵＴＲＡＮは、端末１０が属したセルが分かる。したがって、ネットワークは、データを端末１０に／から伝送及び／または受信することができ、ネットワークは、端末１０の移動性（ハンドオーバー）を制御することができ、隣接セルに対するセル測定を行うことができる。
【００７８】
図４ａは、３ＧＰＰ  ＴＳ  ３６．３００標準でのＵＥ能力を交渉する過程を示した図である。
【００７９】
図４ａを参照すると、ＭＭＥは、Ｓ１インターフェースを介して初期コンテキスト設定要請（ｉｎｉｔｉａｌ  ｃｏｎｔｅｘｔ  ｓｅｔｕｐ  ｒｅｑｕｅｓｔ）メッセージをｅＮＢに伝送する。これに対して、ｅＮＢは、ＭＭＥに初期コンテキスト設定応答メッセージを伝送する。ｅＮＢは、該当のＵＥをサポートする他のＲＡＴ情報と各隣接セルの存在有無などに基づいてより多くの能力が必要であるか否かを決定する。ｅＮＢは、ＵＥにＲＲＣメッセージとしてＵＥＣａｐａｂｉｌｉｔｙＥｎｑｕｉｒｙメッセージを伝送し、ＵＥにＵＥ能力に対して質疑することができる。そうすると、ＵＥは、ＵＥＣａｐａｂｉｌｉｔｙＥｎｑｕｉｒｙｉｎｆｏｒｍａｔｉｏｎメッセージを通じて自身がサポートする能力に対する情報をｅＮＢに伝送することができる。ｅＮＢは、ＲＲＣ  ＣＯＮＮＥＣＴＥＤ状態の間に能力を維持し、ＵＴＲＡＮ能力を除いた全ての知られている能力を構成する一つのＵＥＲａｄｉｏＡｃｃｅｓｓＣａｐａｂｉｌｉｔｙＩｎｆｏｒｍａｔｉｏｎメッセージを生成する。ｅＮＢは、ＵＥ能力情報を含むメッセージ（例えば、ＵＥ能力情報指示（ＵＥ  Ｃａｐａｂｉｌｉｔｙ  ｉｎｆｏ  ｉｎｄｉｃａｔｉｏｎ）メッセージ）をＭＭＥに伝送する。ＭＭＥは、ＤＥＴＡＣＨまたはＡＴＴＡＣＨのときまで能力を維持する。
【００８０】
図４ｂは、３ＧＰＰ  ＴＳ  ３６．３００標準での初期コンテキスト設定（ｉｎｉｔｉａｌ  ｃｏｎｔｅｘｔ  ｓｅｔｕｐ）プロシージャを説明するための例示的な図である。
【００８１】
図４ｂを参照すると、ＭＭＥはｅＮＢにページングメッセージを伝送し、ｅＮＢは、これをＵＥに伝達する。その後、ＵＥは、ｅＮＢとランダムアクセスプロシージャを行う。ＵＥは、ｅＮＢにＮＡＳメッセージとしてサービス要請を伝送する。ｅＮＢは、これをＭＭＥに伝達する。ＭＭＥは、初期コンテキスト設定要請（ｉｎｉｔｉａｌ  ｃｏｎｔｅｘｔ  ｓｅｔｕｐ  ｒｅｑｕｅｓｔ）メッセージをｅＮＢに伝送する。ｅＮＢは、ＲＲＣ或いはＮＡＳメッセージとして無線ベアラ設定（Ｒａｄｉｏ  Ｂｅａｒｅｒ  Ｓｅｔｔｕｐ）メッセージを伝送する。無線ベアラ設定の完了後、ＵＥは、ｅＮＢに無線ベアラ設定完了メッセージを伝送する。
【００８２】
図５は、ＥＰＳ（Ｅｖｏｌｖｅｄ  Ｐａｃｋｅｔ  Ｓｙｓｔｅｍ）サービスのためのアタッチプロシージャを説明するための図である。
【００８３】
このプロシージャは、ＥＰＳサービスのみのためにＵＥで使用される。ＵＥがノーマルサービス（ｎｏｒｍａｌ  ｓｅｒｖｉｃｅ）のためのアタッチプロシージャを開始するとき、ＵＥは、ＥＰＳアタッチタイプＩＥで「ＥＰＳアタッチ」を指示しなければならない。端末が緊急ベアラサービスのためのアタッチプロシージャを開始するとき、端末は、ＥＰＳアタッチタイプＩＥで「ＥＰＳ緊急アタッチ（ＥＰＳ  ｅｍｅｒｇｅｎｃｙ  ａｔｔａｃｈ）」を指示しなければならない。ＥＭＭ（ＥＰＳ  Ｍｏｂｉｌｉｔｙ  Ｍａｎａｇｅｍｅｎｔ）―ＤＥＲＥＧＩＳＴＥＲＥＤ状態で、ＵＥは、ＭＭＥにアタッチ要請メッセージを伝送することによってアタッチプロシージャを開始することができ、タイマーＴ３４１０を開始し、ＥＭＭ―ＲＥＧＩＳＴＥＲＥＤ―ＩＮＩＴＩＡＴＥＤ状態に進入する。タイマーＴ３４０２が現在動作中であると（ｒｕｎｎｉｎｇ）、端末はタイマーＴ３４０２を中止させなければならない。タイマーＴ３４１１が動作中であると、端末はタイマーＴ３４１１を中止させなければならない。
【００８４】
次の表１は、ＡＴＴＡＣＨ  ＡＣＣＥＰＴメッセージ内容を示した表である。
【００８５】
【表１】
0006370310.tif 000002
【００８６】
次の表２は、ＡＴＴＡＣＨ  ＣＯＭＰＬＥＴＥメッセージ内容を示した表である。
【００８７】
【表２】
0006370310.tif 000003
【００８８】
次の表３は、ＡＴＴＡＣＨ  ＲＥＪＥＣＴメッセージ内容を示した表である。
【００８９】
【表３】
0006370310.tif 000004
【００９０】
次の表４は、ＡＴＴＡＣＨ  ＲＥＱＵＥＳＴメッセージ内容を示した表である。
【００９１】
【表４】
0006370310.tif 000005
【００９２】
このようなＥＰＳ（Ｅｖｏｌｖｅｄ  Ｐａｃｋｅｔ  Ｓｙｓｔｅｍ）サービスのためのアタッチプロシージャとこれと関連する内容は、以下の本発明で説明するｅＡＰによってセルラー網（例えば、ＬＴＥ網）とのアタッチプロシージャに適用することができる。セルラー網の立場で、ｅＡＰがＵＥと見なされる。
【００９３】
スイッチング基盤のインター（ｉｎｔｅｒ）  ＲＡＴ技術は、端末の要請基盤に設計され、無線ＬＡＮとセルラー網との間のインターワーキングを必要とせず、特定のネットワークサーバーが無線ＬＡＮ情報を管理し、端末の要請に応じてインターＲＡＴハンドオーバーを可能にする。これは、端末がマルチ―ＲＡＴ能力を有するとしても、一度に一つのＲＡＴのみで接続が可能であることを意味し、マルチプルＲＡＴへの同時接続は可能でないことを意味する。このような理由により、従来技術は、ＡＰとセルラー網との間に何ら制御連結（ｃｏｎｔｒｏｌ  ｃｏｎｎｅｃｔｉｏｎ）も要求していない。しかし、マルチ―ＲＡＴへの同時送受信のみならず、よりタイトに結合された管理（ｔｉｇｈｔｌｙ―ｃｏｕｐｌｅｄ  ｍａｎａｇｅｍｅｎｔ）のために互いに異なるＲＡＴ間のダイレクト制御連結（ｄｉｒｅｃｔ  ｃｏｎｔｒｏｌ  ｃｏｎｎｅｃｔｉｏｎ）を設定することによって、より効率的で、且つ速いインター―ＲＡＴインターワーキングが必要である。
【００９４】
まず、複数の通信システムが連動するネットワーク構造を説明する。
【００９５】
図６は、第１の通信システム（例えば、ＬＴＥシステム）と第２の通信システム（例えば、ＷｉＦｉシステム）との連動構造を説明するためのネットワーク構造を例示した図である。
【００９６】
図６に示したネットワーク構造において、バックボーン（Ｂａｃｋｂｏｎｅ）網（例えば、Ｐ―ＧＷまたはＥＰＣ（Ｅｖｏｌｖｅｄ  Ｐａｃｋｅｔ  Ｃｏｒｅ））を介してＡＰとｅＮＢとの間にバックホール制御連結（ｂａｃｋｈａｕｌ  ｃｏｎｔｒｏｌ  ｃｏｎｎｅｃｔｉｏｎ）があるか、ＡＰとｅＮＢとの間に無線制御連結（ｗｉｒｅｌｅｓｓ  ｃｏｎｔｒｏｌ  ｃｏｎｎｅｃｔｉｏｎ）があり得る。ピークスループット（ｐｅａｋ  ｔｈｒｏｕｇｈｐｕｔ）及びデータトラフィックオフ―ローディング（ｄａｔａ  ｔｒａｆｆｉｃ  ｏｆｆ―ｌｏａｄｉｎｇ）のために、ＵＥは、複数の通信ネットワーク間の連動を通じて第１の無線通信方式を使用する第１の通信システム（或いは第１の通信ネットワーク）と第２の無線通信方式を使用する第２の通信システム（或いは第２の通信ネットワーク）を全て同時にサポートすることができる。ここで、第１の通信ネットワークまたは第１の通信システムをそれぞれプライマリーネットワーク（Ｐｒｉｍａｒｙ  ｎｅｔｗｏｒｋ）またはプライマリーシステム（Ｐｒｉｍａｒｙ  ｓｙｓｔｅｍ）と称し、第２の通信ネットワークまたは第２の通信システムをそれぞれセカンダリーネットワーク（Ｓｅｃｏｎｄａｒｙ  ｎｅｔｗｏｒｋ）またはセカンダリーシステム（Ｓｅｃｏｎｄａｒｙ  ｓｙｓｔｅｍ）と称することができる。例えば、ＵＥは、ＬＴＥ（或いはＬＴＥ―Ａ）とＷｉＦｉ（ＷＬＡＮ／８０２．１１などの近距離通信システム）を同時にサポートするように構成することができる。このようなＵＥを、本明細書でマルチシステムサポートＵＥ（Ｍｕｌｔｉ―ｓｙｓｔｅｍ  ｃａｐａｂｉｌｉｔｙ  ＵＥ）などと称することができる。
【００９７】
図６に示したネットワーク構造において、プライマリーシステムは、広いカバレッジ（ｗｉｄｅｒ  ｃｏｖｅｒａｇｅ）を有し、制御情報の伝送のための網であり得る。プライマリーシステムの例として、ＷｉＭＡＸまたはＬＴＥ（ＬＴＥ―Ａ）システムがあり得る。一方、セカンダリーシステムは、小さいカバレッジを有する網であり、データ伝送のためのシステムであり得る。セカンダリーネットワークは、例えば、ＷＬＡＮまたはＷｉＦｉなどの無線ＬＡＮシステムであり得る。
【００９８】
本発明では、次の事項を仮定する
【００９９】
セカンダリーシステム（例えば、ＷｉＦｉ）のアクセスポイントであるＡＰと、プライマリーシステム（例えば、ＬＴＥシステムまたはＷｉＭＡＸシステムなどのセルラー通信システム）のアクセスポイントである基地局（ｅＮＢ）との間には、互いに無線リンク上に連結が設定されていると仮定する。本発明では、ｅＮＢとの無線インターフェースがあるＡＰをｅＡＰとも称することにする。すなわち、ｅＡＰは、８０２．１１  ＭＡＣ／ＰＨＹのみならず、ｅＮＢとの通信のためのＬＴＥプロトコルスタック或いはＷｉＭＡＸプロトコルスタックもサポートしなければならなく、ｅＮＢに対しては端末としての役割をし、ｅＮＢと通信できることを意味する。
【０１００】
本発明では、ＡＰ情報管理主体によってＡＰ情報アップデート方法を三つ場合のシナリオに分けて記述する（ケース１：ＡＰ情報管理主体がｅＮＢである場合、ケース２．ＡＰ情報管理主体がＭＭＥである場合、そして、ケース３．ＡＰ情報管理主体が新たなネットワークエンティティ（例えば、新たなインターワーキングサーバーまたはＡＮＤＳＦ（Ａｃｃｅｓｓ  Ｎｅｔｗｏｒｋ  Ｄｉｓｃｏｖｅｒｙ  ＆  Ｓｅｌｅｃｔｉｏｎ  Ｆｕｎｃｔｉｏｎ））である場合）。
【０１０１】
ＷｉＦｉとセルラネットワークを介して同時にデータを送受信できる端末が存在する環境で、デュアルモード（ｄｕａｌ  ｍｏｄｅ）の端末がより効率的にＷｉＦｉ―セルラー融合網を使用できるようにするために、ＷｉＦｉ  ＡＰとセルラーネットワーク基地局（例えば、ｅＮＢまたはＡＢＳ）との間に無線リンク（或いは無線インターフェース）を存在させることを提案する。このようにＡＰとｅＮＢが無線インターフェースを有する環境で該当の無線インターフェースを用いて新たなｅＡＰが登録された場合、ｅＮＢ／ＭＭＥ／新たなネットワークエンティティ（ｎｅｗ  ｎｅｔｗｏｒｋ  ｅｎｔｉｔｙ）がデュアルモードの端末にまたは周辺のネットワークエンティティ（ｅＮＢ／ＭＭＥ／ＩＷＥ（Ｉｎｔｅｒｗｏｒｋｉｎｇ  Ｅｎｔｉｔｙ））に新たなｅＡＰ情報をアップデートする方法に対して提案する。
【０１０２】
図７ａは、ＡＰ情報管理主体がｅＮＢである場合（ケース１）のｅＡＰのプロトコル構成を示した図で、図７ｂは、ＡＰ情報管理主体がＭＭＥである場合（ケース２）のｅＡＰのプロトコル構成を示した図である。
【０１０３】
図７ａに示したように、ｅＮＢがＡＰ情報を管理する主体となる場合は、ｅＡＰがｅＮＢとのみ通信を行い、ＰＨＹ、ＭＡＣ、ＲＬＣ、ＰＤＣＰ、ＲＲＣレイヤーの制御経路（ｃｏｎｔｒｏｌ  ｐａｔｈ）のみを有している場合である。場合に応じて、ｅＮＢは、制御経路のみならず、データ経路（ｄａｔａ  ｐａｔｈ）にまで連結されなければならない。
【０１０４】
図７ｂに示したように、ＡＰ管理サーバーがＭＭＥにある場合、ｅＡＰは、ＭＭＥに自身の情報を直接伝送しなければならなく、このために、ｅＡＰのＬＴＥパート（ｐａｒｔ）プロトコルスタックは、ＮＡＳ（Ｎｏｎ―Ａｃｃｅｓｓ  Ｓｔｒａｔｕｍ）レイヤーまであることを提案する。ｅＡＰがＭＭＥと直接通信を行うことができ、ＰＨＹ、ＭＡＣ、ＲＬＣ、ＰＤＣＰ、ＲＲＣレイヤーのみならず、ＮＡＳレイヤーまで含んでいる場合、ＮＡＳ制御メッセージの伝送のために、ｅＮＢとｅＡＰは制御／データ経路にまで連結されていなければならない。
【０１０５】
図８ａ及び図８ｂは、ＡＰ情報管理主体が新たなネットワーキングエンティティである場合（ケース３）のｅＡＰのプロトコル構成を示した図である。
【０１０６】
図８ａ及び図８ｂを参照すると、ＡＰ管理サーバーがインターワーキングのための新たなインターワーキングエンティティ（ｎｅｗ  ｉｎｔｅｒｗｏｒｋｉｎｇ  ｅｎｔｉｔｙ）（例えば、ＡＮＤＳＦなどのサーバー）にある場合、ｅＡＰは、新たなインターワーキングエンティティに自身の情報を直接伝送しなければならなく、このために、ｅＡＰのＬＴＥパートプロトコルスタックは、新たなネットワークエンティティと通信できる新たなプロトコルレイヤーを要求することができ、新たなプロトコルレイヤー（ｎｅｗ  ｐｒｏｔｏｃｏｌ  ｌａｙｅｒ）まで含むことができる。ｅＡＰが新たなインターワーキングエンティティ（ＩＷＥ）と直接通信を行うことができ、ＰＨＹ、ＭＡＣ、ＲＬＣ、ＰＤＣＰ、ＲＲＣレイヤーのみならず、新たなプロトコルレイヤーまで含んでいる場合、ｅＡＰは、ｅＮＢと制御経路のみならず、データ経路にまで連結されている。特に、図８ｂの場合、ｅＮＢにも、ＩＷＥとの通信のために新たなインターフェース（ｅ．ｇ．，ＩＷＰレイヤー）が必要であり得る。
【０１０７】
実施例１：ＡＰ情報管理主体がｅＮＢである場合
【０１０８】
図９は、ＡＰ情報管理主体がｅＮＢである場合のｅＡＰ情報伝送プロシージャを説明するための例示的な図である。
【０１０９】
ｅＡＰ初期連結設定（ｅＡＰ  ｉｎｉｔｉａｌ  ｃｏｎｎｅｃｔｉｏｎ  ｅｓｔａｂｌｉｓｈｍｅｎｔ）プロシージャ
【０１１０】
ｅＡＰ初期連結設定プロシージャのトリガー条件として、１）ｅＡＰがパワーオン（ｐｏｗｅｒ  ｏｎ）である場合、２）ｅＡＰが新たなセルラーカバレッジに移動した場合、３）セルラーシステム内にあるＵＥにセルラ―ＷｉＦｉ融合シナリオを適用する必要があると判断した場合がある。
【０１１１】
ｅＡＰがセル検索（Ｃｅｌｌ  ｓｅａｒｃｈ）のために、Ｐ―ＳＳ（Ｐｒｉｍａｒｙ  Ｓｙｎｃｈ  Ｓｉｇｎａｌ）及びＳ―ＳＳ（Ｓｅｃｏｎｄａｒｙ  Ｓｙｎｃｈ  Ｓｉｇｎａｌ）を受信し、ｅＮＢの物理セル識別子（Ｐｈｙｓｉｃａｌ  Ｃｅｌｌ  ＩＤ）を獲得することができる（Ｓ９１０）。ｅＮＢのインターワーキングサポート（ｉｎｔｅｒｗｏｒｋｉｎｇ  ｓｕｐｐｏｒｔ）の有無を確認する方法として、ｅＡＰがｅＮＢから受信したＳＩＢ（Ｓｙｓｔｅｍ  Ｉｎｆｏｒｍａｔｉｏｎ  Ｂｌｏｃｋ）または物理放送チャンネル（ＰＢＣＨ）内のＭＩＢ（Ｍａｓｔｅｒ  Ｉｎｆｏｒｍａｔｉｏｎ  Ｂｌｏｃｋ）の情報（例えば、１ビットサイズでインターワーキングサポートの有無を指示する）からインターワーキングサポートの有無を確認することができる（Ｓ９２０）。または、ｅＮＢは、ＷｉＦｉ―セルラーインターワーキング制御情報のための新たなタイプのＳＩＢ（すなわち、ＳＩＢ―ｎ）（本発明で新たに提案するシステム情報ブロックタイプＳＩＢ―ｎは、ｎが１６以上の整数であり得る）を新たに定義することもでき、新たなＳＩＢ―ｎが定義される場合、ｅＡＰがｅＮＢからＳＩＢ―１受信を通じてＳＩＢ―ｎのスケジューリング存在の有無でｅＮＢがインターワーキングをサポートするか否かを把握することもできる。セル検索を通じて、ｅＡＰは、無線ＬＡＮとセルラー網との間のインターワーキングをサポートするセルラー基地局の物理セル識別子を識別することができる。
【０１１２】
ｅＮＢとの連結設定（ｃｏｎｎｅｃｔｉｏｎ  ｅｓｔａｂｌｉｓｈｍｅｎｔ）遂行（ＮＡＳメッセージなしで）
【０１１３】
ｅＡＰは、既存のＬＴＥ  ＵＥとは異なり、ＮＡＳ  ＡＴＴＡＣＨ  ＲＥＱＵＥＳＴなしでＲＲＣ連結設定を要請するメッセージ（ＲＲＣＣｏｎｎｅｃｔｉｏｎＲｅｑｅｕｓｔ）を伝送することができる（Ｓ９３０）。「ｅｓｔａｂｌｉｓｈｍｅｎｔＣａｕｓｅ」パラメーターは、「ｅＡＰ発信アクセス（ｅＡＰ  ｏｒｉｇｉｎａｔｉｎｇ  Ａｃｃｅｓｓ）」のようにｅＡＰの連結設定であることを示すパラメーターと定義することができる。または、ＵＥ―アイデンティティ（Ｉｄｅｎｔｉｔｙ）がｅＡＰ（ｅ．ｇ．，保留された（ｒｅｓｅｒｖｅｄ）ＩＤ割り当て）であることを示すＩＤをｅＮＢに伝送する。ｅＡＰは、ｅＮＢとランダムアクセス手順（ＲＡＣＨ）を行い（Ｓ９４０）、ｅＮＢからＲＲＣ連結設定メッセージ（例えば、ＲＲＣＣｏｎｎｅｃｔｉｏｎＳｅｔｕｐメッセージ）を受信することができる（Ｓ９５０）。連結設定段階で既存のＵＥが行っていたＮＡＳ関連パラメーターは省略したり、意味のない値に設定することができる。ＲＲＣ連結設定の完了後、ｅＡＰは、ｅＮＢにＲＲＣ連結設定の完了を知らせるメッセージ（ＲＲＣＣｏｎｎｅｃｔｉｏｎＳｅｔｕｐＣｏｍｐｌｅｔｅメッセージ）を伝送することができる（Ｓ９６０）。
【０１１４】
ｅＡＰは、ｅＮＢからＣＲＳ（Ｃｅｌｌ―ｓｐｅｃｉｆｉｃ  Ｒｅｆｅｒｅｎｃｅ  Ｓｉｇｎａｌ）を受信し、ｅＮＢの参照信号強さを測定することができる（Ｓ９７０）。また、ｅＡＰは、ＧＰＳまたは３ＧＰＰ  ＴＳ  ３６．３５５標準規格に従って、ＬＰＰ（ＬＴＥ  Ｐｏｓｉｔｉｏｎｉｎｇ  Ｐｒｏｔｏｃｏｌ）プロシージャを通じてｅＡＰの位置を測定することができる（Ｓ９８０）。
【０１１５】
ｅＡＰ情報登録プロシージャ
【０１１６】
ネットワーク（Ｅ―ＵＴＲＡＮ）でｅＡＰＩｎｆｏｒｍａｔｉｏｎＲｅｑｕｅｓｔメッセージを伝送することによってプロシージャを開始することができる。ｅＮＢは、ｅＡＰにｅＡＰ情報を要請するメッセージ（例えば、ｅＡＰＩｎｆｏｒｍａｔｉｏｎＲｅｑｕｅｓｔメッセージ）を伝送することができる（Ｓ９９０）。ｅＡＰＩｎｆｏｒｍａｔｉｏｎＲｅｑｕｅｓｔメッセージの受信に対する応答として、ｅＡＰは、ｅＮＢとの設定された連結を通じて自身の情報をｅＡＰ情報応答メッセージ（例えば、ｅＡＰＩｎｆｏｒｍａｔｉｏｎＲｅｓｐｏｎｓｅメッセージ）を通じてｅＮＢに伝送することができる（Ｓ９９５）。ｅＡＰは、ｅＮＢに自身の情報及びｅＮＢ関連測定情報をｅＡＰＩｎｆｏｒｍａｔｉｏｎＲｅｓｐｏｎｓｅメッセージに含ませて伝送することができる。
【０１１７】
ｅＡＰＩｎｆｏｒｍａｔｉｏｎＲｅｓｐｏｎｓｅメッセージは、ｅＡＰの３ＧＰＰネットワークでの自身のＩＤ（或いはＵＥ―ＩＤ）、ｅＡＰの中心周波数チャンネル番号（一つ以上である場合、一つ以上のチャンネル番号伝送）、ｅＡＰの帯域幅、ｅＡＰのＷＬＡＮセルＩＤ（ｅ．ｇ．，ＢＳＳＩＤ、ＳＳＩＤ）、ｅＡＰの位置情報（ＧＰＳ座標情報またはＬＰＰを通じて測定された位置情報）、ｅＡＰの負荷状態情報、周辺ＡＰとの干渉情報、周辺ＡＰのスキャン結果情報、ｅＮＢのＵＬタイミング同期情報、ｅＮＢのタイミングアドバンス測定値、及びｅＮＢの参照信号強さ測定値のうち少なくとも一つ以上を含んで伝送され得る。ｅＡＰＩｎｆｏｒｍａｔｉｏｎＲｅｓｐｏｎｓｅメッセージを受信したｅＮＢは、該当の情報を自身のサーバーにＤＢ化して格納し、該当のｅＡＰを自身のカバレッジに属した無線ＬＡＮ領域と見なし、該当の情報を用いてＷｉＦｉ―セルラーインターワーキングをサポートする端末と関連するプロシージャを行うことができる。
【０１１８】
図９に示したものと異なり、ｅＡＰＩｎｆｏｒｍａｔｉｏｎＲｅｑｕｅｓｔメッセージ伝送による要請がなくても、ｅＡＰは、ｅＡＰＩｎｆｏｒｍａｔｉｏｎＲｅｓｐｏｎｓｅメッセージをアンソリシテッド（ｕｎｓｏｌｉｃｉｔｅｄ）方式で伝送することもできる。
【０１１９】
図１０は、ＡＰ情報管理主体がｅＮＢである場合のＡＰ情報をアップデートするプロシージャを説明するための例示的な図である。
【０１２０】
図１０のプロシージャは、図９で説明したように、ＡＰ情報を登録した後、ＡＰ情報をアップデートする必要な場合に行われる。ｅＡＰは、ｅＡＰ情報（例えば、位置情報、負荷状態、周辺ＡＰとの干渉情報など）のうち一つが変更された場合、またはｅＡＰが属したｅＮＢの情報が変更された場合（例えば、ｅＡＰの移動によるｅＮＢの変更またはｅＮＢから受信したｅＮＢ情報の変更の場合（例えば、信号強さ、アップリンクタイミング同期情報、タイミングアドバンス値などの変更））、ｅＡＰ情報アップデートがトリガリングされ得る。ｅＡＰ情報アップデートがトリガリングされると、ｅＡＰは、ｅＮＢとの設定された連結を通じて自身のアップデート情報をｅＮＢに伝送することができる（Ｓ１０１０）。すなわち、ｅＡＰは、自身の情報が修正されたり、ｅＮＢ関連測定情報が変更された場合、アップデート情報を含むメッセージ（例えば、ｅＡＰＩｎｆｏｒｍａｔｉｏｎＵｐｄａｔｅメッセージ）をｅＮＢに伝送することができる（Ｓ１０１０）。Ｅ―ＵＴＲＡＮの立場では、ｅＡＰからｅＡＰＩｎｆｏｒｍａｔｉｏｎＵｐｄａｔｅメッセージを受信することによってｅＡＰアップデート情報プロシージャが開始される。
【０１２１】
前記ｅＡＰＩｎｆｏｒｍａｔｉｏｎＵｐｄａｔｅメッセージは、ｅＡＰの３ＧＰＰ  ＵＥ―ＩＤ、ｅＡＰの中心周波数チャンネル番号（一つ以上である場合、一つ以上のチャンネル番号伝送）、ｅＡＰの帯域幅、ｅＡＰのＷＬＡＮセルＩＤ（ｅ．ｇ．，ＢＳＳＩＤ、ＳＳＩＤ）、ｅＡＰの位置情報（ＧＰＳ座標情報またはＬＰＰを通じて測定された位置情報）、ｅＡＰの負荷状態情報、周辺ＡＰとの干渉情報、周辺ＡＰのスキャン結果情報、ｅＮＢのＵＬタイミング同期情報、ｅＮＢのタイミングアドバンス測定値、ｅＮＢの参照信号強さ測定値などの情報で修正または変更された情報を含んで伝送され得る。ここで、基地局の情報と関連して数値的に変更（例えば、干渉値、参照信号測定値など）されたと判断する基準は、予め定義されたしきい値以上に変更されたと見なすことができる。
【０１２２】
その後、ｅＮＢは、受信した修正された情報をＤＢにアップデートして格納する（Ｓ１０２０）。そして、ｅＮＢは、アップデート情報がよく格納されたことを知らせるメッセージ（例えば、ｅＡＰＩｎｆｏｒｍａｔｉｏｎＵｐｄａｔｅＡＣＫメッセージ）をｅＡＰに伝送する（Ｓ１０３０）。
【０１２３】
ｅＡＰ情報がアップデートされた場合、ｅＮＢは、情報がアップデートされたｅＡＰと通信中であるＵＥに変更或いはアップデートされたｅＡＰ情報を伝送する必要があると判断されると、ｅＮＢは、該当のＵＥにこれを知らせることができる。このとき、方法１として、ｅＮＢは、ブロードキャスト（Ｂｒｏａｄｃａｓｔ）方式でアップデートされたｅＡＰ情報を該当のＵＥに伝送することができる（Ｓ１０４０）。ｅＮＢは、デュアルモードのＵＥのためにｅＡＰ関連情報を周期的に放送する必要がある。隣接（ｎｅｉｇｈｂｏｒ）ｅＡＰ情報の伝送のためのＲＲＣメッセージとしては、ＳＩＢ―ｎ（ここで、ｎは、１６以上の整数であり得る）メッセージを一例に挙げることができる。方法２として、ユニキャスト（Ｕｎｉｃａｓｔ）方式でアップデートされたｅＡＰ情報を伝送することができる（Ｓ６４５）。ｅＮＢは、デュアルモードのＵＥのためにｅＡＰ関連情報をｅＡＰとの連結が必要な端末のみにユニキャストメッセージとして伝送することができる。隣接ｅＡＰ情報の伝送のためのＲＲＣメッセージを定義することができ、一例として、ｎｅｉｇｈｂｏｒｅＡＰＩｎｆｏｒｍａｔｉｏｎメッセージがある。ｎｅｉｇｈｂｏｒｅＡＰＩｎｆｏｒｍａｔｉｏｎメッセージ伝送に対する応答として、ＵＥは、ｅＮＢにｎｅｉｇｈｂｏｒｅＡＰＩｎｆｏｒｍａｔｉｏｎメッセージをよく確認したときに知らせる確認メッセージ（例えば、ｎｅｉｇｈｂｏｒｅＡＰＩｎｆｏｒｍａｔｉｏｎＡｃｋメッセージ）を伝送することができる（Ｓ１０５０）。
【０１２４】
アップデートされたｅＡＰ情報により、ＵＥがサービングｅＡＰをスキャニングする必要があると判断された場合、ｅＮＢは、
ｅＡＰスキャニングを指示する（或いは要請する）メッセージ（一例として、ｅＡＰＳｃａｎｎｉｎｇＲｅｑメッセージ）を伝送することができる。このスキャニング要請メッセージを伝送するとき、ｅＮＢは、原因（ｃａｕｓｅ）フィールドに「ｅＡＰ情報アップデート（ｅＡＰ  Ｉｎｆｏｒｍａｔｉｏｎ  Ｕｐｄａｔｅ）」を指示する情報とサービングｅＡＰ情報を含ませて伝送することができる（Ｓ１０６０）。
【０１２５】
ｅＡＰＳｃａｎｎｉｎｇＲｅｑメッセージを受信するようになったＵＥは、ｅＡＰスキャニングを行う（Ｓ１０７０）。そして、スキャニング結果をレポートするメッセージ（例えば、ｅＡＰＳｃａｎｎｉｎｇＲｅｐｏｒｔメッセージ）をｅＮＢに伝送することができる（Ｓ１０８０）。
【０１２６】
実施例２．ＡＰ情報管理主体がＭＭＥである場合
【０１２７】
図１１は、ＡＰ情報管理主体がＭＭＥである場合のｅＡＰ情報伝送プロシージャを説明するための例示的な図である。
【０１２８】
ｅＡＰ初期連結設定プロシージャ
【０１２９】
ｅＡＰ初期連結設定プロシージャのトリガー条件として、１）ｅＡＰがパワーオンである場合、２）ｅＡＰが新たなセルラーカバレッジに移動した場合、３）セルラーシステム内にあるＵＥにセルラー―ＷｉＦｉ融合シナリオを適用する必要があると判断した場合がある。
【０１３０】
ｅＡＰは、セル検索のために、Ｐ―ＳＳ（Ｐｒｉｍａｒｙ  Ｓｙｎｃｈ  Ｓｉｇｎａｌ）及びＳ―ＳＳ（Ｓｅｃｏｎｄａｒｙ  Ｓｙｎｃｈ  Ｓｉｇｎａｌ）（Ｓ―ＳＳ）を受信し、ｅＮＢの物理セル識別子を獲得することができる（Ｓ１１１０）。ｅＮＢのインターワーキングサポートの有無を確認する方法として、ｅＡＰがｅＮＢからＳＩＢ（Ｓｙｓｔｅｍ  Ｉｎｆｏｒｍａｔｉｏｎ  Ｂｌｏｃｋ）または物理放送チャンネル（ＰＢＣＨ）内のＭＩＢ（Ｍａｓｔｅｒ  Ｉｎｆｏｒｍａｔｉｏｎ  Ｂｌｏｃｋ）の情報（例えば、１ビットサイズでインターワーキングサポートの有無で指示する）からインターワーキングサポートの有無を確認することができる（Ｓ１１２０）。または、ｅＮＢは、ＷｉＦｉ―セルラーインターワーキング制御情報のためのＳＩＢ―ｎを新たに定義することもでき、新たなＳＩＢ―ｎが定義される場合、ｅＡＰは、ｅＮＢからのＳＩＢ―１受信を通じてＳＩＢ―ｎのスケジューリングの存在有無でｅＮＢがインターワーキングをサポートするか否かを把握することもできる。セル検索を通じて、ｅＡＰは、無線ＬＡＮとセルラー網との間のインターワーキングをサポートするセルラー基地局の物理セル識別子を識別することができる。
【０１３１】
ＭＭＥ／ｅＮＢとの連結設定遂行（アタッチまたはサービス要請による連結設定）
【０１３２】
ｅＡＰは、既存のＬＴＥ  ＵＥと同様に、ＮＡＳ  ＡＴＴＡＣＨ  ＲＥＱＵＥＳＴを通じてＲＲＣＣｏｎｎｅｃｔｉｏｎＲｅｑｅｕｓｔメッセージをｅＮＢに伝送する（Ｓ１１３０）。ＮＡＳシグナリング連結の設定（Ｅｓｔａｂｌｉｓｈｍｅｎｔ  ｏｆ  ｔｈｅ  ＮＡＳ  ｓｉｇｎａｌｌｉｎｇ  ｃｏｎｎｅｃｔｉｏｎ）と関連して、ＥＰＳアタッチタイプは、ｅＡＰにアタッチすることを意味する新たなタイプと定義し、ｅｓｔａｂｌｉｓｈｍｅｎｔＣａｕｓｅは、「ｅＡＰ発信アクセス」のようにｅＡＰの連結設定であることを示すパラメーターと定義することができる。または、ｕｅ―アイデンティティがｅＡＰ（ｅ．ｇ．，保留されたＩＤ割り当て）であることを示すＩＤを伝送することができる。
【０１３３】
ｅＡＰは、ｅＮＢとランダムアクセス手順（ＲＡＣＨ）を行い（Ｓ１１４０）、ｅＮＢからＲＲＣ連結設定メッセージ（例えば、ＲＲＣＣｏｎｎｅｃｔｉｏｎＳｅｔｕｐメッセージ）を受信することができる（Ｓ１１５０）。ＲＲＣ連結設定の完了後、ｅＡＰは、ｅＮＢにＲＲＣ連結設定の完了を知らせるメッセージ（ＲＲＣＣｏｎｎｅｃｔｉｏｎＳｅｔｕｐＣｏｍｐｌｅｔｅメッセージ）を伝送することができる（Ｓ１１６０）。
【０１３４】
ｅＡＰは、ｅＮＢからＣＲＳ（Ｃｅｌｌ―ｓｐｅｃｉｆｉｃ  Ｒｅｆｅｒｅｎｃｅ  Ｓｉｇｎａｌ）を受信し、ｅＮＢの参照信号強さを測定することができる（Ｓ１１７０）。また、ｅＡＰは、ＧＰＳまたは３ＧＰＰ  ＴＳ  ３６．３５５標準規格に従って、ＬＰＰ（ＬＴＥ  Ｐｏｓｉｔｉｏｎｉｎｇ  Ｐｒｏｔｏｃｏｌ）プロシージャを通じてｅＡＰの位置を測定することができる（Ｓ１１８０）。
【０１３５】
ｅＡＰ情報登録プロシージャ
【０１３６】
ｅＡＰは、ＭＭＥとの設定された連結を通じて自身の情報をＮＡＳメッセージを通じてＭＭＥに伝送することができる。ＭＭＥは、ｅＡＰにｅＡＰ情報を要請するメッセージ（一例として、ｅＡＰＩｎｆｏｒｍａｔｉｏｎＲｅｑｕｅｓｔメッセージ）を伝送することができる（Ｓ１１９０）。ＭＭＥは、アタッチ段階で該当の端末がｅＡＰであることが分かり、追加的な情報を受信する必要があると判断した場合、該当のメッセージをｅＡＰに伝送することができる。
【０１３７】
ｅＡＰＩｎｆｏｒｍａｔｉｏｎＲｅｑｕｅｓｔメッセージ受信に対する応答として、ｅＡＰは、ＭＭＥに自身の情報及びｅＮＢ関連測定情報を含むメッセージ（例えば、ｅＡＰＩｎｆｏｒｍａｔｉｏｎＲｅｓｐｏｎｓｅメッセージ）を伝送することができる（Ｓ１１９５）。図１１に示したように、ｅＡＰは、アンソリシテッド方式でＭＭＥにｅＡＰＩｎｆｏｒｍａｔｉｏｎＲｅｓｐｏｎｓｅメッセージを伝送することもできる。ｅＡＰＩｎｆｏｒｍａｔｉｏｎＲｅｓｐｏｎｓｅメッセージは、ｅＡＰの３ＧＰＰネットワークでの自身のＩＤ（或いはＵＥ―ＩＤ）、ｅＡＰの中心周波数チャンネル番号（一つ以上である場合、一つ以上のチャンネル番号伝送）、ｅＡＰの帯域幅、ｅＡＰのＷＬＡＮセルＩＤ（ｅ．ｇ．，ＢＳＳＩＤ、ＳＳＩＤ）、ｅＡＰの位置情報（ＧＰＳ座標情報またはＬＰＰを通じて測定された位置情報）、ｅＡＰの負荷状態情報、周辺ＡＰとの干渉情報、周辺ＡＰのスキャン結果情報、ｅＮＢのＵＬタイミング同期情報、ｅＮＢのタイミングアドバンス測定値、及びｅＮＢの参照信号強さ測定値のうち少なくとも一つ以上を含んで伝送され得る。
【０１３８】
ｅＡＰＩｎｆｏｒｍａｔｉｏｎＲｅｓｐｏｎｓｅメッセージを受信したＭＭＥは、該当の情報を自身のサーバーにＤＢ化して格納し、該当のｅＡＰを自身のカバレッジに属した無線ＬＡＮ領域と見なし、該当の情報を用いてＷｉＦｉ―セルラーインターワーキングをサポートする端末と関連するプロシージャを行うことができる。
【０１３９】
図１２は、ＡＰ情報管理主体がＭＭＥである場合のＡＰ情報をアップデートするプロシージャを説明するための例示的な図である。
【０１４０】
図１２のプロシージャは、図１１で説明したように、ＡＰ情報を登録した後、ＡＰ情報をアップデートする必要がある場合に行うことができる。ｅＡＰは、ｅＡＰ情報（例えば、位置情報、負荷状態、周辺ＡＰとの干渉情報など）のうち一つが変更された場合、またはｅＡＰが属したｅＮＢの情報が変更された場合（例えば、ｅＡＰの移動によるｅＮＢの変更またはｅＮＢから受信したｅＮＢ情報の変更の場合（例えば、信号強さ、アップリンクタイミング同期情報、タイミングアドバンス値などの変更））、ｅＡＰ情報アップデートがトリガリングされ得る。ｅＡＰ情報アップデートがトリガリングされると、ｅＡＰは、ＭＭＥとの設定された連結を通じて自身のアップデート情報をＭＭＥに伝送することができる（Ｓ１２１０）。すなわち、ｅＡＰは、自身の情報が修正されたり、ｅＮＢ関連測定情報が変更された場合、アップデート情報を含むメッセージ（例えば、ｅＡＰＩｎｆｏｒｍａｔｉｏｎＵｐｄａｔｅ  ＮＡＳメッセージ）をＭＭＥに伝送することができる（Ｓ１２１０）。Ｅ―ＵＴＲＡＮの立場では、ｅＡＰからｅＡＰＩｎｆｏｒｍａｔｉｏｎＵｐｄａｔｅ  ＮＡＳメッセージを受信することによってｅＡＰアップデート情報プロシージャが開始される。
【０１４１】
前記ｅＡＰＩｎｆｏｒｍａｔｉｏｎＵｐｄａｔｅ  ＮＡＳメッセージは、ｅＡＰの３ＧＰＰ  ＵＥ―ＩＤ、ｅＡＰの中心周波数チャンネル番号（一つ以上である場合、一つ以上のチャンネル番号伝送）、ｅＡＰの帯域幅、ｅＡＰのＷＬＡＮセルＩＤ（ｅ．ｇ．，ＢＳＳＩＤ、ＳＳＩＤ）、ｅＡＰの位置情報（ＧＰＳ座標情報またはＬＰＰを通じて測定された位置情報）、ｅＡＰの負荷状態情報、周辺ＡＰとの干渉情報、周辺ＡＰのスキャン結果情報、ｅＮＢのＵＬタイミング同期情報、ｅＮＢのタイミングアドバンス測定値、ｅＮＢの参照信号強さ測定値などの情報で修正または変更された情報を含んで伝送され得る。
【０１４２】
その後、ＭＭＥは、受信した修正された情報をＤＢにアップデートして格納する（Ｓ１２２０）。そして、ＭＭＥは、アップデート情報がよく格納されたことを知らせるメッセージ（例えば、ｅＡＰＩｎｆｏｒｍａｔｉｏｎＵｐｄａｔｅＡＣＫ  ＮＡＳメッセージ）をｅＡＰに伝送する（Ｓ１２３０）。
【０１４３】
ｅＡＰ情報がアップデートされた場合、ＭＭＥは、情報がアップデートされたｅＡＰと通信中であるＵＥに変更或いはアップデートされたｅＡＰ情報を伝送する必要があると判断されると、ＭＭＥは、該当のＵＥにこれを下記の方法を通じて知らせることができる。
【０１４４】
方法１として、ＭＭＥは、Ｓ１インターフェースを介して該当ｅＡＰが属したｅＮＢにアップデートされたｅＡＰ情報をｅＡＰＩｎｆｏｒｍａｔｉｏｎＵｐｄａｔｅメッセージに含ませて伝送することができる（Ｓ１２４０）。ＭＭＥが伝送したｅＡＰＩｎｆｏｒｍａｔｉｏｎＵｐｄａｔｅメッセージは、ｅＡＰが伝送した前記ｅＡＰＩｎｆｏｒｍａｔｉｏｎＵｐｄａｔｅ  ＮＡＳメッセージに含まれた情報を含むことができる。ＭＭＥからｅＡＰＩｎｆｏｒｍａｔｉｏｎＵｐａｔｅメッセージを受信したｅＮＢは、ＭＭＥに受信確認メッセージ（例えば、ｅＡＰＩｎｆｏｒｍａｔｉｏｎＵｐｄａｔｅＡＣＫメッセージ）を伝送することができる（Ｓ１２５０）。
【０１４５】
ｅＡＰ情報がアップデートされた場合、ｅＮＢは、情報がアップデートされたｅＡＰと通信中であるＵＥに変更或いはアップデートされたｅＡＰ情報を伝送する必要があると判断されると、ｅＮＢは、該当のＵＥにこれを知らせることができる。このとき、方法１として、ｅＮＢは、ブロードキャスト方式でアップデートされたｅＡＰ情報を該当のＵＥに伝送することができる（Ｓ１２６０）。ｅＮＢは、デュアルモードのＵＥのためにｅＡＰ関連情報を周期的に放送する必要がある。隣接ｅＡＰ情報の伝送のためのＲＲＣメッセージとして、ＳＩＢ―ｎメッセージを一例に挙げることができる。方法２として、ユニキャスト方式でアップデートされたｅＡＰ情報を伝送することができる（Ｓ１２７０）。ｅＮＢは、デュアルモードのＵＥのために、ｅＡＰ関連情報をｅＡＰとの連結が必要な端末のみにユニキャストメッセージとして伝送することができる。隣接ｅＡＰ情報の伝送のためのＲＲＣメッセージを定義することができ、一例として、ｎｅｉｇｈｂｏｒｅＡＰＩｎｆｏｒｍａｔｉｏｎメッセージがある。ｎｅｉｇｈｂｏｒｅＡＰＩｎｆｏｒｍａｔｉｏｎメッセージ伝送に対する応答として、ＵＥは、ｅＮＢにｎｅｉｇｈｂｏｒｅＡＰＩｎｆｏｒｍａｔｉｏｎメッセージをよく確認したときに知らせる確認メッセージ（例えば、ｎｅｉｇｈｂｏｒｅＡＰＩｎｆｏｒｍａｔｉｏｎＡｃｋメッセージ）を伝送することができる（Ｓ１２８０）。
【０１４６】
アップデートされたｅＡＰ情報により、ＵＥがサービングｅＡＰをスキャニングする必要があると判断された場合、ｅＮＢは、
ｅＡＰスキャニングを指示する（或いは要請する）メッセージ（一例として、ｅＡＰＳｃａｎｎｉｎｇＲｅｑメッセージ）を伝送することができる。このスキャニング要請メッセージを伝送するとき、ｅＮＢは、原因フィールドに「ｅＡＰ情報アップデート」を指示する情報とサービングｅＡＰ情報を含ませて伝送することができる（Ｓ１２８５）。
【０１４７】
ｅＡＰＳｃａｎｎｉｎｇＲｅｑメッセージを受信するようになったＵＥは、ｅＡＰスキャニングを行う（Ｓ１２９０）。そして、スキャニング結果をレポートするメッセージ（例えば、ｅＡＰＳｃａｎｎｉｎｇＲｅｐｏｒｔメッセージ）をｅＮＢに伝送することができる（Ｓ１２９５）。
【０１４８】
図１３は、ＡＰ情報管理主体がＭＭＥである場合のＡＰ情報をアップデートするプロシージャを説明するための他の例示的な図である。
【０１４９】
図１２では、ｅＡＰ情報がアップデートされた場合、ＭＭＥは、情報がアップデートされたｅＡＰと通信中であるＵＥに変更或いはアップデートされたｅＡＰ情報を伝送する必要があると判断されると、該当のＵＥにこれを知らせるためにｅＮＢにＳ１インターフェースを介してｅＡＰＩｎｆｏｒｍａｔｉｏｎＵｐｄａｔｅメッセージを伝送した。図１３では、これとは異なり、ＲＲＣメッセージを介したアップデート方法に対して説明する。
【０１５０】
ｅＡＰは、ｅＡＰ情報（例えば、位置情報、負荷状態、周辺ＡＰとの干渉情報など）のうち一つが変更された場合またはｅＡＰが属したｅＮＢの情報が変更された場合（例えば、ｅＡＰの移動によるｅＮＢの変更またはｅＮＢから受信したｅＮＢ情報の変更の場合（例えば、信号強さ、アップリンクタイミング同期情報、タイミングアドバンス値などの変更））、ｅＡＰ情報アップデートがトリガリングされ得る。ｅＡＰ情報アップデートがトリガリングされると、ｅＡＰ  ＮＡＳレイヤーは、ｅＡＰ  ＲＲＣレイヤーに自身のアップデート情報をｅＡＰＩｎｆｏｒｍａｔｉｏｎＵｐｄａｔｅ（ＮＡＳ）メッセージを介して伝送することができる（Ｓ１３１０）。ｅＡＰ  ＲＲＣレイヤーがＮＡＳレイヤーからｅＡＰＩｎｆｏｒｍａｔｉｏｎＵｐｄａｔｅメッセージを受信する場合、該当のメッセージにｅＡＰＩｎｆｏｒｍａｔｉｏｎＵｐｄａｔｅ  ＲＲＣ制御メッセージを生成してｅＮＢに伝送することができる（Ｓ１３２０）。情報は、ＮＡＳメッセージと同一の情報を含む。
【０１５１】
ｅＡＰＩｎｆｏｒｍａｔｉｏｎＵｐｄａｔｅ  ＲＲＣ制御メッセージを受信したｅＮＢは、該当の情報は自身のｅＡＰ情報管理のために使用し、ＮＡＳメッセージ（ｅＡＰＩｎｆｏｒｍａｔｉｏｎＵｐｄａｔｅ（ＮＡＳ））はＭＭＥに伝達する（Ｓ１３３０）。さらに、ｅＡＰＩｎｆｏｒｍａｔｉｏｎＵｐｄａｔｅ  ＲＲＣ制御メッセージに対する応答として、ｅＮＢは、ｅＡＰ  ＲＲＣレイヤーにｅＡＰＩｎｆｏｒｍａｔｉｏｎＵｐｄａｔｅＡＣＫ  ＲＲＣ制御メッセージをｅＡＰに伝送することができる（Ｓ１３４０）。ｅＡＰＩｎｆｏｒｍａｔｉｏｎＵｐｄａｔｅ（ＮＡＳ）メッセージ受信に対する応答として、ＭＭＥは、ｅＡＰ  ＮＡＳレイヤーに確認メッセージ（例えば、ｅＡＰＩｎｆｏｒｍａｔｉｏｎＵｐｄａｔｅＡＣＫ（ＮＡＳ）メッセージ）を伝送することができる（Ｓ１３５０）。図１３において、Ｓ１３６０以下の内容は、図１２のＳ１２６０以下のプロシージャと同一であるので、それについての内容は省略し、図１２の内容を参照することにする。
【０１５２】
実施例３：ＡＰ情報管理主体が新たなネットワークエンティティ（例えば、ＩＷＥ（ｉｎｔｅｒｗｏｒｋｉｎｇ  ｅｎｔｉｔｙ）またはＡＮＤＳＦ）である場合
【０１５３】
図１４は、ＡＰ情報管理主体が新たなネットワークエンティティ（以下、ＩＷＥと称する）である場合のｅＡＰ情報伝送プロシージャを説明するための例示的な図である。
【０１５４】
ｅＡＰ初期連結設定プロシージャ
【０１５５】
ｅＡＰ初期連結設定プロシージャのトリガー条件として、１）ｅＡＰがパワーオンである場合、２）ｅＡＰが新たなセルラーカバレッジに移動した場合、３）セルラーシステム内にあるＵＥにセルラ―ＷｉＦｉ融合シナリオを適用する必要があると判断した場合がある。
【０１５６】
ｅＡＰは、セル検索のために、Ｐ―ＳＳ（Ｐｒｉｍａｒｙ  Ｓｙｎｃｈ  Ｓｉｇｎａｌ）及びＳ―ＳＳ（Ｓｅｃｏｎｄａｒｙ  Ｓｙｎｃｈ  Ｓｉｇｎａｌ）を受信し、ｅＮＢの物理セル識別子を獲得することができる（Ｓ１４１０）。ｅＮＢのインターワーキングサポートの有無を確認する方法として、ｅＡＰがｅＮＢからＳＩＢ（Ｓｙｓｔｅｍ  Ｉｎｆｏｒｍａｔｉｏｎ  Ｂｌｏｃｋ）または物理放送チャンネル（ＰＢＣＨ）内のＭＩＢ（Ｍａｓｔｅｒ  Ｉｎｆｏｒｍａｔｉｏｎ  Ｂｌｏｃｋ）の情報（例えば、１ビットサイズでインターワーキングサポートの有無で指示する）からインターワーキングサポートの有無を確認することができる（Ｓ１４２０）。または、ｅＮＢは、ＷｉＦｉ―セルラーインターワーキング制御情報のためのＳＩＢ―ｎを新たに定義することもでき、新たなＳＩＢ―ｎが定義される場合、ｅＡＰは、ｅＮＢからのＳＩＢ―１受信を通じてＳＩＢ―ｎのスケジューリングの存在有無でｅＮＢがインターワーキングをサポートするか否かを把握することもできる。セル検索を通じて、ｅＡＰは、無線ＬＡＮとセルラー網との間のインターワーキングをサポートするセルラー基地局の物理セル識別子を識別することができる。
【０１５７】
ＭＭＥ／ｅＮＢとの連結設定遂行（アタッチまたはサービス要請による連結設定）
【０１５８】
ｅＡＰは、既存のＬＴＥ  ＵＥと同様に、ＮＡＳ  ＡＴＴＡＣＨ  ＲＥＱＵＥＳＴを通じてＲＲＣＣｏｎｎｅｃｔｉｏｎＲｅｑｅｕｓｔメッセージをｅＮＢに伝送する（Ｓ１４３０）。ＮＡＳシグナリング連結の設定と関連して、ＥＰＳアタッチタイプは、ｅＡＰにアタッチすることを意味する新たなタイプと定義し、ｅｓｔａｂｌｉｓｈｍｅｎｔＣａｕｓｅは、「ｅＡＰ発信アクセス」のようにｅＡＰの連結設定であることを示すパラメーターと定義することができる。または、ｕｅ―アイデンティティがｅＡＰ（ｅ．ｇ．，保留されたＩＤ割り当て）であることを示すＩＤを伝送することができる。
【０１５９】
ｅＡＰは、ｅＮＢとランダムアクセス手順（ＲＡＣＨ）を行い（Ｓ１４４０）、ｅＮＢからＲＲＣ連結設定メッセージ（例えば、ＲＲＣＣｏｎｎｅｃｔｉｏｎＳｅｔｕｐメッセージ）を受信することができる（Ｓ１４５０）。ＲＲＣ連結設定の完了後、ｅＡＰは、ｅＮＢにＲＲＣ連結設定の完了を知らせるメッセージ（ＲＲＣＣｏｎｎｅｃｔｉｏｎＳｅｔｕｐＣｏｍｐｌｅｔｅメッセージ）を伝送することができる（Ｓ１４６０）。
【０１６０】
ｅＡＰは、ｅＮＢからＣＲＳ（Ｃｅｌｌ―ｓｐｅｃｉｆｉｃ  Ｒｅｆｅｒｅｎｃｅ  Ｓｉｇｎａｌ）を受信し、ｅＮＢの参照信号強さを測定することができる（Ｓ１４７０）。また、ｅＡＰは、ＧＰＳまたは３ＧＰＰ  ＴＳ  ３６．３５５標準規格に従って、ＬＰＰ（ＬＴＥ  Ｐｏｓｉｔｉｏｎｉｎｇ  Ｐｒｏｔｏｃｏｌ）プロシージャを通じてｅＡＰの位置を測定することができる（Ｓ１４８０）。
【０１６１】
ｅＡＰ情報登録プロシージャ
【０１６２】
ｅＡＰのＲＲＣ／ＭＡＣ／ＰＨＹレイヤーは、インターワーキングと関連する情報をインターワーキングプロトコルレイヤーに伝送しなければならない。ｅＡＰは、ｅＮＢとの設定された連結を通じて自身の情報をＩＷＥに伝送することができる（上位レイヤーメッセージとして伝送される）（Ｓ１４９０）。ｅＡＰは、ＩＷＥに自身の情報及びｅＮＢ関連測定情報を含むメッセージ（例えば、ｅＡＰＩｎｆｏｒｍａｔｉｏｎＲｅｓｇｉｓｔｅｒメッセージ）を伝送することができる（Ｓ１４９０）。ｅＡＰＩｎｆｏｒｍａｔｉｏｎＲｅｓｇｉｓｔｅｒメッセージは、ｅＡＰの３ＧＰＰネットワークでの自身のＩＤ（或いはＵＥ―ＩＤ）、ｅＡＰの中心周波数チャンネル番号（一つ以上である場合、一つ以上のチャンネル番号伝送）、  ｅＡＰの帯域幅、ｅＡＰのＷＬＡＮセルＩＤ（ｅ．ｇ．，ＢＳＳＩＤ、ＳＳＩＤ）、ｅＡＰの位置情報（ＧＰＳ座標情報またはＬＰＰを通じて測定された位置情報）、ｅＡＰの負荷状態情報、周辺ＡＰとの干渉情報、周辺ＡＰのスキャン結果情報、ｅＮＢのＵＬタイミング同期情報、ｅＮＢのタイミングアドバンス測定値、及びｅＮＢの参照信号強さ測定値のうち少なくとも一つ以上を含んで伝送され得る。ｅＡＰＩｎｆｏｒｍａｔｉｏｎＲｅｓｇｉｓｔｅｒメッセージを受信したＩＷＥは、該当の情報を自身のサーバーにＤＢ化して格納し、ｅＡＰに情報を成功的に格納したことを知らせる確認メッセージ（例えば、ｅＡＰＩｎｆｏｒｍａｔｉｏｎＡＣＫメッセージ）を伝送することができる（Ｓ１４９５）。
【０１６３】
図１５は、ＡＰ情報管理主体がＩＷＥである場合のｅＮＢ／ＭＭＥとＩＷＥとの間のプロシージャを説明するための例示的な図である。
【０１６４】
ｅＡＰ初期連結設定プロシージャ
【０１６５】
ｅＡＰとｅＮＢ／ＭＭＥとの間の連結設定を通じて、ｅＮＢはｅＡＰであることを認識することができる（Ｓ１５１０）。その後、ＩＷＥは、ｅＡＰの情報を登録する（Ｓ１１２０）。ＩＷＥは、ＡＰ情報サーバーにｅＡＰの３ＧＰＰネットワークでの自身のＩＤ（或いはＵＥ―ＩＤ）、ｅＡＰの中心周波数チャンネル番号（一つ以上である場合、一つ以上のチャンネル番号伝送）、ｅＡＰの帯域幅、ｅＡＰのＷＬＡＮセルＩＤ（ｅ．ｇ．，ＢＳＳＩＤ、ＳＳＩＤ）、ｅＡＰの位置情報（ＧＰＳ座標情報またはＬＰＰを通じて測定された位置情報）、ｅＡＰの負荷状態情報、周辺ＡＰとの干渉情報、周辺ＡＰのスキャン結果情報、ｅＮＢのＵＬタイミング同期情報、ｅＮＢのタイミングアドバンス測定値、及びｅＮＢの参照信号強さ測定値のうち少なくとも一つ以上を格納する。
【０１６６】
ＩＷＥは、新たに登録されたｅＡＰを、ｅＡＰが伝送したｅＮＢ情報に基づいて該当のｅＮＢに属したＷＬＡＮ領域と見なし、該当の情報を、インターワーキングを行うｅＮＢまたはＭＭＥに上位レイヤーメッセージを用いて伝送することができる。この場合、ＩＷＥとｅＡＰ／ＭＭＥとの間に設定されるインターワーキングプロトコル（ＩＷ  ｐｒｏｔｏｃｏｌ）がｅＮＢ／ＭＭＥでもサポートされなければならない。以下、方法１、方法２及び方法３を通じて説明する。
【０１６７】
方法１：ｅＡＰ／ＭＭＥは、新たなｅＡＰが登録されることを認識した場合、ＩＷＥに該当の情報を要請するメッセージ（例えば、ｅＡＰＩｎｆｏｒｍａｔｉｏｎｒｅｑｕｅｓｔメッセージ）を伝送することができる（Ｓ１５３０）。ｅＡＰ―ＩＷＥ間で使用されたものと同一のプロトコルを使用し、ｅＮＢ／ＭＭＥは、ＩＷＥに自身のカバレッジ内にあるｅＡＰ情報を要請することもできる。ｅＡＰＩｎｆｏｒｍａｔｉｏｎｒｅｑｕｅｓｔメッセージには、要請するｅＮＢ／ＭＭＥの情報を含ませることができる。ｅＡＰＩｎｆｏｒｍａｔｉｏｎｒｅｑｕｅｓｔメッセージに対する応答として、ＩＷＥは、新たなｅＡＰに対する情報を含むメッセージ（例えば、ｅＡＰＩｎｆｏｒｍａｔｉｏｎＲｅｓｐｏｎｓｅメッセージ）をｅＡＰ／ＭＭＥに伝送することができる（Ｓ１５４０）。ｅＡＰＩｎｆｏｒｍａｔｉｏｎＲｅｓｐｏｎｓｅメッセージには、ｅＡＰＩｎｆｏｒｍａｔｉｏｎｒｅｇｉｓｔｅｒメッセージに伝送された情報が同一にまたは一部伝送され得る。
【０１６８】
方法２：特定のｅＮＢ／ＭＭＥ領域に新たなｅＡＰがアップデートされた場合、ｅＡＰ―ＩＷＥ間で使用されたものと同一のプロトコルを使用し、ＩＷＥは、該当のｅＮＢまたはＭＭＥに新たな情報がアップデートされたことを知らせるメッセージ（例えば、ｅＡＰＵｐｄａｔｅＩｎｄｉｃａｔｉｏｎメッセージ）を伝送することができる（Ｓ１５５０）。ｅＮＢまたはＭＭＥは、ＩＷＥにアップデートされたｅＡＰ情報を要請するメッセージ（例えば、ｅＡＰＵｐｄａｔｅＩｎｆｏｒｍａｔｉｏｎＲｅｑｕｅｓｔメッセージ）を伝送する（Ｓ１１５５）。ｅＡＰＵｐｄａｔｅＩｎｆｏｒｍａｔｉｏｎＲｅｑｕｅｓｔメッセージを受信したＩＷＥは、該当のｅＡＰのアップデートされた情報を含むメッセージ（例えば、ｅＡＰｕｐｄａｔｅＩｎｆｏｒｍａｔｉｏｎＲｅｓｐｏｎｓｅメッセージ）を伝送することができる（Ｓ１５６０）。
【０１６９】
方法３：特定のｅＮＢ／ＭＭＥ領域に新たなｅＡＰがアップデートされた場合、ｅＡＰ―ＩＷＥ間で使用されたものと同一のプロトコルを使用し、ＩＷＥは、該当のｅＮＢまたはＭＭＥにアップデートされた情報を含むメッセージを伝送することができる。ＩＷＥのサーバーに新たなｅＡＰ情報がアップデートされた場合、該当のｅＡＰが属したｅＮＢ／ＭＭＥにアップデートされたｅＡＰ情報をｅＡＰＵｐｄａｔｅＩｎｆｏｒｍａｔｉｏｎを通じて伝送することができ（Ｓ１５７０）、ｅＡＰＵｐｄａｔｅＩｎｆｏｒｍａｔｉｏｎを受信したｅＮＢ／ＭＭＥは、成功的な受信を知らせるためのｅＡＰｕｐｄａｔｅＩｎｆｏｒｍａｔｉｏｎＡＣＫメッセージを伝送することができる（Ｓ１５７５）。前記の説明した方法１〜３のうちいずれか一つの方法を選択的に行うことができる。
【０１７０】
図１６は、ＡＰ情報管理主体がＩＷＥである場合のＡＰ情報をアップデートするプロシージャを説明するための例示的な図である。
【０１７１】
図１６のプロシージャは、図１５で説明したように、ＡＰ情報を登録した後、ＡＰ情報をアップデートする必要がある場合に行うことができる。ｅＡＰは、ｅＡＰ情報（例えば、位置情報、負荷状態、周辺ＡＰとの干渉情報など）のうち一つが変更された場合、またはｅＡＰが属したｅＮＢの情報が変更された場合（例えば、ｅＡＰの移動によるｅＮＢの変更またはｅＮＢから受信したｅＮＢ情報の変更の場合（例えば、信号強さ、アップリンクタイミング同期情報、タイミングアドバンス値などの変更））、ｅＡＰ情報アップデートがトリガリングされ得る。ｅＡＰ情報アップデートがトリガリングされると、ｅＡＰは、ＭＭＥとの設定された連結を通じて自身のアップデート情報をＭＭＥに伝送することができる（Ｓ１６１０）。すなわち、ｅＡＰは、自身の情報が修正されたり、ｅＮＢ関連測定情報が変更された場合、アップデート情報を含むメッセージ（例えば、ｅＡＰＩｎｆｏｒｍａｔｉｏｎＵｐｄａｔｅメッセージ）をＭＭＥに伝送することができる（Ｓ１６１０）。
【０１７２】
前記ｅＡＰＩｎｆｏｒｍａｔｉｏｎＵｐｄａｔｅメッセージは、ｅＡＰの３ＧＰＰ  ＵＥ―ＩＤ、ｅＡＰの中心周波数チャンネル番号（一つ以上である場合、一つ以上のチャンネル番号伝送）、ｅＡＰの帯域幅、ｅＡＰのＷＬＡＮセルＩＤ（ｅ．ｇ．，ＢＳＳＩＤ、ＳＳＩＤ）、ｅＡＰの位置情報（ＧＰＳ座標情報またはＬＰＰを通じて測定された位置情報）、ｅＡＰの負荷状態情報、周辺ＡＰとの干渉情報、周辺ＡＰのスキャン結果情報、ｅＮＢのＵＬタイミング同期情報、ｅＮＢのタイミングアドバンス測定値、ｅＮＢの参照信号強さ測定値などの情報で修正または変更された情報を含んで伝送され得る。
【０１７３】
その後、ＩＷＥは、受信した修正された情報をＤＢにアップデートして格納する（Ｓ１６２０）。そして、ＩＷＥは、アップデート情報がよく格納されたことを知らせるメッセージ（例えば、ｅＡＰＩｎｆｏｒｍａｔｉｏｎＵｐｄａｔｅＡＣＫメッセージ）をｅＡＰに伝送する（Ｓ１６３０）。
【０１７４】
ｅＡＰ情報がアップデートされた場合、ＩＷＥは、情報がアップデートされたｅＡＰが属したｅＮＢに変更或いはアップデートされたｅＡＰ情報を伝送する必要があると判断されると、ＩＷＥは、変更或いはアップデートされたｅＡＰ情報を該当のｅＮＢ／ＭＭＥにメッセージ（例えば、ｅＡＰＩｎｆｏｒｍａｔｉｏｎＵｐｄａｔｅ（ｎｅｗ））を通じて知らせることができる（Ｓ１６４０）。ｅＡＰＩｎｆｏｒｍａｔｉｏｎＵｐｄａｔｅ（ｎｅｗ）メッセージを受信したｅＮＢ／ＭＭＥは、これを確認するメッセージ（例えば、ｅＡＰＩｎｆｏｒｍａｔｉｏｎＵｐｄａｔｅＡＣＫ（ｎｅｗ））をＩＷＥに伝送することができる（Ｓ１６５０）。
【０１７５】
ｅＡＰ情報がアップデートされた場合、ｅＮＢ／ＭＭＥは、情報がアップデートされたｅＡＰと通信中であるＵＥに変更或いはアップデートされたｅＡＰ情報を伝送する必要があると判断されると、ｅＮＢ／ＭＭＥは、該当のＵＥにこれを下記の方法を通じて知らせることができる。
【０１７６】
このとき、方法１として、ｅＮＢは、ブロードキャスト方式でアップデートされたｅＡＰ情報を該当のＵＥに伝送することができる（Ｓ１６６０）。ｅＮＢは、デュアルモードのＵＥのためにｅＡＰ関連情報を周期的に放送する必要がある。隣接ｅＡＰ情報の伝送のためのＲＲＣメッセージとして、ＳＩＢ―ｎメッセージを例に挙げることができる。方法２として、ユニキャスト方式でアップデートされたｅＡＰ情報を伝送することができる（Ｓ１６７０）。ｅＮＢ／ＭＭＥは、デュアルモードのＵＥのためにｅＡＰ関連情報をｅＡＰとの連結が必要な端末のみにユニキャストメッセージとして伝送することができる。隣接ｅＡＰ情報の伝送のためのＲＲＣメッセージを定義することができ、一例として、ｎｅｉｇｈｂｏｒｅＡＰＩｎｆｏｒｍａｔｉｏｎメッセージがある。ｎｅｉｇｈｂｏｒｅＡＰＩｎｆｏｒｍａｔｉｏｎメッセージ伝送に対する応答として、ＵＥは、ｅＮＢ／ＭＭＥにｎｅｉｇｈｂｏｒｅＡＰＩｎｆｏｒｍａｔｉｏｎメッセージをよく確認したときに知らせる確認メッセージ（例えば、ｎｅｉｇｈｂｏｒｅＡＰＩｎｆｏｒｍａｔｉｏｎＡｃｋメッセージ）を伝送することができる（Ｓ１６７５）。
【０１７７】
アップデートされたｅＡＰ情報により、ＵＥがサービングｅＡＰをスキャニングする必要があると判断された場合、ｅＮＢ／ＭＭＥは、ｅＡＰスキャニングを指示する（或いは要請する）メッセージ（一例として、ｅＡＰＳｃａｎｎｉｎｇＲｅｑメッセージ）を伝送することができる。このスキャニング要請メッセージを伝送するとき、ｅＮＢは、原因フィールドに「ｅＡＰ情報アップデート」を指示する情報とサービングｅＡＰ情報を含ませて伝送することができる（Ｓ１６８０）。
【０１７８】
ｅＡＰＳｃａｎｎｉｎｇＲｅｑメッセージを受信するようになったＵＥは、ｅＡＰスキャニングを行う（Ｓ１６８５）。そして、スキャニング結果をレポートするメッセージ（例えば、ｅＡＰＳｃａｎｎｉｎｇＲｅｐｏｒｔメッセージ）をｅＮＢ／ＭＭＥに伝送することができる（Ｓ１６９０）。
【０１７９】
図１７は、ＡＰ情報管理主体がＩＷＥである場合のＡＰ情報をアップデートするプロシージャを説明するための他の例示的な図である。
【０１８０】
図１６では、ｅＡＰ情報がアップデートされた場合、ＩＷＥは、情報がアップデートされたｅＡＰと通信中であるＵＥに変更或いはアップデートされたｅＡＰ情報を伝送する必要があると判断されると、該当のＵＥにこれを知らせるためにｅＮＢにＳ１インターフェースを介してｅＡＰＩｎｆｏｒｍａｔｉｏｎＵｐｄａｔｅメッセージを伝送した。図１３では、これとは異なり、ＲＲＣメッセージを通じたアップデート方法に対して説明する。
【０１８１】
ｅＡＰは、ｅＡＰ情報（例えば、位置情報、負荷状態、周辺ＡＰとの干渉情報など）のうち一つが変更された場合、またはｅＡＰが属したｅＮＢの情報が変更された場合（例えば、ｅＡＰの移動によるｅＮＢの変更またはｅＮＢから受信したｅＮＢ情報の変更の場合（例えば、信号強さ、アップリンクタイミング同期情報、タイミングアドバンス値などの変更））、ｅＡＰ情報アップデートがトリガリングされ得る。ｅＡＰ情報アップデートがトリガリングされると、ｅＡＰ  ＩＷＰレイヤーは、ｅＡＰ  ＲＲＣ／ＮＡＳレイヤーに自身のアップデート情報をｅＡＰＩｎｆｏｒｍａｔｉｏｎＵｐｄａｔｅ（ＩＷＰ）メッセージを介して伝送することができる（Ｓ１７１０）。ｅＡＰ  ＲＲＣ／ＮＡＳは、該当のメッセージにｅＡＰＩｎｆｏｒｍａｔｉｏｎＵｐｄａｔｅ  ＮＡＳ／ＲＲＣメッセージを生成してｅＮＢ／ＭＭＥに伝送することができる（Ｓ１７２０）。情報は、ＩＷＰメッセージと同一の情報を含む。
【０１８２】
ｅＡＰＩｎｆｏｒｍａｔｉｏｎＵｐｄａｔｅ  ＮＡＳ／ＲＲＣメッセージを受信したｅＮＢ／ＭＭＥは、該当の情報は自身のｅＡＰ情報管理のために使用し、ＩＷＰメッセージ（ｅＡＰＩｎｆｏｒｍａｔｉｏｎＵｐｄａｔｅ（ＩＷＰ））はＭＭＥに伝達する（Ｓ１７３０）。さらに、ｅＡＰＩｎｆｏｒｍａｔｉｏｎＵｐｄａｔｅ  ＲＲＣ／ＮＡＳメッセージに対する応答として、ｅＮＢ／ＭＭＥは、ｅＡＰ  ＲＲＣ／ＮＡＳレイヤーにｅＡＰＩｎｆｏｒｍａｔｉｏｎＵｐｄａｔｅＡＣＫ  ＲＲＣ／ＮＡＳメッセージを伝送することができる（Ｓ１７４０）。ｅＡＰＩｎｆｏｒｍａｔｉｏｎＵｐｄａｔｅ（ＩＷＰ）メッセージ受信に対する応答として、ＩＷＥは、ｅＡＰ  ＩＷＰレイヤーに確認メッセージ（例えば、ｅＡＰＩｎｆｏｒｍａｔｉｏｎＵｐｄａｔｅＡＣＫ（ＩＷＰ）メッセージ）を伝送することができる（Ｓ１７５０）。図１７のＳ１７６０以下の内容は、図１６のＳ１６６０以下のプロシージャと同一であるので、それについての内容は省略し、図１６の内容を参照することにする。
【０１８３】
以上説明したように、本発明で提案するセルラーネットワークがＡＰの情報を管理する場合、ＡＰ情報管理主体、ｅＮＢまたはＵＥがＡＰ情報を効率的にアップデートする方法により、広帯域無線通信システムでセルラー網の制御を通じて端末がＷＬＡＮを効率的に使用するようになるという長所がある。
【０１８４】
以上説明した各実施例は、本発明の各構成要素と各特徴が所定の形態で結合されたものである。各構成要素または特徴は、別途の明示的な言及がない限り、選択的なものとして考慮しなければならない。各構成要素または特徴は、他の構成要素や特徴と結合されない形態で実施することができる。また、一部の構成要素及び／または特徴を結合して本発明の実施例を構成することも可能である。本発明の各実施例で説明する各動作の順序は変更可能である。一つの実施例の一部の構成や特徴は、他の実施例に含ませることができ、または、他の実施例の対応する構成または特徴と取り替えることができる。特許請求の範囲で明示的な引用関係のない各請求項を結合して実施例を構成したり、出願後の補正によって新たな請求項として含ませ得ることは自明である。
【０１８５】
本発明は、本発明の精神及び必須特徴を逸脱しない範囲で他の特定の形態に具体化できることは当業者にとって自明である。したがって、前記の詳細な説明は、全ての面で制限的に解釈してはならなく、例示的なものとして考慮しなければならない。本発明の範囲は、添付の請求項の合理的解釈によって決定しなければならなく、本発明の等価的範囲内での全ての変更は本発明の範囲に含まれる。
【図１】
0006370310.tif 000006
【図２】
0006370310.tif 000007
【図３ａ】
0006370310.tif 000008
【図３ｂ】
0006370310.tif 000009
【図３ｃ】
0006370310.tif 000010
【図４ａ】
0006370310.tif 000011
【図４ｂ】
0006370310.tif 000012
【図５】
0006370310.tif 000013
【図６】
0006370310.tif 000014
【図７ａ】
0006370310.tif 000015
【図７ｂ】
0006370310.tif 000016
【図８ａ】
0006370310.tif 000017
【図８ｂ】
0006370310.tif 000018
【図９】
0006370310.tif 000019
【図１０】
0006370310.tif 000020
【図１１】
0006370310.tif 000021
【図１２】
0006370310.tif 000022
【図１３】
0006370310.tif 000023
【図１４】
0006370310.tif 000024
【図１５】
0006370310.tif 000025
【図１６】
0006370310.tif 000026
【図１７】
0006370310.tif 000027